(57)【要約】【課題】会員の個人情報を持たずに任意の配信条件で選択された会員に対して、当該会員の一意の会員番号だけで確実に会員に配信することができる電子メール配信装置を提供する。【解決手段】会員番号取得手段Ｐ１１が管理装置２０から会員番号を取得すると、識別情報作成手段Ｐ１２が当該会員番号に対して一意的な識別データを割り振り、該割り振った識別データと前記取得した会員番号とを有する識別情報を作成すると、該識別情報に電子メール記憶手段Ｄ１２を一対一に割り当てる。配信電子メール取得手段Ｐ１４が選択会員番号と電子メールを管理装置２０から取得すると、配信手段Ｐ１５は取得した選択会員番号に一致する会員番号を有する識別情報を特定し、該特定した識別情報に対応する電子メール記憶手段Ｄ１２に前記取得した電子メールを記憶する。【選択図】図１
2010071175.tif 000002
【特許請求の範囲】
【請求項１】
登録した複数の会員の各々の個人情報と該会員を示す会員番号とを関連付けて管理する管理装置との間で通信手段を介した通信を行い、かつ、前記登録した複数の会員の中で配信対象となる会員に電子メールを配信する電子メール配信装置において、
前記管理装置から前記通信手段を介して前記会員の会員番号を取得する会員番号取得手段と、
前記会員番号取得手段が取得した会員番号の各々に一意的な識別データを割り振り、該割り振った識別データと前記取得した会員番号とを有する識別情報を作成し、該識別情報に対応した前記電子メールを記憶する電子メール記憶手段を該識別情報と一対一に割り当てる識別情報作成手段と、
前記作成した識別情報を前記管理装置に前記通信手段を介して通知する通知手段と、
前記作成した識別情報を前記会員番号に関連付けて記憶する識別情報記憶手段と、
前記管理装置側で前記複数の会員番号の中から任意の配信条件で選択された選択会員番号と該選択会員番号に配信する前記電子メールとを、前記管理装置から前記通信手段を介して取得する配信電子メール取得手段と、
前記取得した選択会員番号に一致する前記会員番号を有する前記識別情報を特定し、該特定した識別情報に対応する前記電子メール記憶手段に前記取得した電子メールを記憶する配信手段と、
前記会員から指定された前記識別情報に対応した電子メール記憶手段を特定し、該電子メール記憶手段が記憶している前記電子メールを前記会員に対して送信する送信手段と、
を有することを特徴とする電子メール配信装置。
【請求項２】
前記電子メール記憶手段に記憶している前記電子メールを前記会員に転送する転送先メールアドレスを、前記通信手段を介して取得して前記電子メール記憶手段に関連付ける転送先メールアドレス取得手段と、
前記電子メール記憶手段に記憶している前記電子メールを前記取得した転送先メールアドレスに転送する転送手段と、
を有することを特徴とする請求項１に記載の電子メール配信装置。
【請求項３】
前記配信電子メール取得手段が取得した電子メールの前記選択会員番号に対する配信結果を示すログ情報を記憶するログ情報記憶手段を有することを特徴とする請求項１又は２に記載の電子メール配信装置。
【請求項４】
前記ログ情報記憶手段が記憶しているログ情報を予め定めた送信先に送信するログ情報送信手段を有することを特徴とする請求項３に記載の電子メール配信装置。
【請求項５】
請求項１〜４のいずれか１項に記載の電子メール配信装置と、前記管理装置と、を有する電子メール配信システムであって、
前記管理装置は、前記会員の会員番号を前記電子メール配信装置に出力する会員番号出力手段と、前記複数の会員の中から任意の配信条件で前記選択会員番号を選択し、前記選択会員番号と該選択会員番号に配信する前記電子メールを前記電子メール配信装置に出力する会員番号選択手段と、を有することを特徴とする電子メール配信システム。
【請求項６】
登録した複数の会員の各々の個人情報と該会員を示す会員番号とを関連付けて管理する管理装置との間で通信手段を介した通信を行い、かつ、前記登録した複数の会員の中で配信対象となる会員に電子メールを配信する電子メール配信装置のコンピュータを、
前記管理装置から前記通信手段を介して前記会員の会員番号を取得する会員番号取得手段、
前記会員番号取得手段が取得した会員番号の各々に一意的な識別データを割り振り、該割り振った識別データと前記取得した会員番号とを有する識別情報を作成して識別情報記憶手段に記憶し、該識別情報に対応した前記電子メールを記憶する電子メール記憶手段を該識別情報と一対一に割り当てる識別情報作成手段、
前記作成した識別情報を前記管理装置に前記通信手段を介して通知する通知手段、
前記管理装置側で前記複数の会員番号の中から任意の配信条件で選択された選択会員番号と該選択会員番号に配信する前記電子メールとを、前記管理装置から前記通信手段を介して取得する配信電子メール取得手段、
前記取得した選択会員番号に一致する前記会員番号を有する前記識別情報を特定し、該特定した識別情報に対応する前記電子メール記憶手段に前記取得した電子メールを記憶する配信手段、
前記会員から指定された前記識別情報に対応した電子メール記憶手段を特定し、該電子メール記憶手段が記憶している前記電子メールを前記会員に対して送信する送信手段、
として機能させるための電子メール配信プログラム。
【発明の詳細な説明】
【技術分野】
【０００１】
本発明は、登録した複数の会員の中で配信対象となる会員に電子メールを配信する電子メール配信装置、電子メール配信システム、および、電子メール配信プログラムに関する。
【背景技術】
【０００２】
近年、コンピュータやインターネットの普及により、電子メールでの情報のやり取りが一般的に行われるようになっている。特に、情報提供者（情報管理者）が、電子メールを利用して、会員に対して情報を配信することが盛んに行われている。例えば、特許文献１に記載されている電子メール配信装置においては、会員として登録した利用者に対して、情報提供者により作成されたメール内容と共に情報提供サイトのアドレスを記載した電子メールを配信することが記載されている。
【特許文献１】特開２００１−２８３０８０号公報
【発明の開示】
【発明が解決しようとする課題】
【０００３】
上述した特許文献１などに記載された電子メール配信装置は、会員の個人情報に基づいて、配信対象となる会員に電子メールを配信していた。このような電子メール配信装置を用いる場合、会員は、氏名、年齢、性別、住所、メールアドレスなど会員の個人情報を登録する必要があった。そして、情報提供者は、配信対象の会員に対して、その会員の個人情報に登録された配信先、すなわち、会員が登録したメールアドレスに電子メールを配信していた。【０００４】
また、情報提供者は、配信する情報によっては配信対象が異なるため、配信対象となる会員を選択して電子メールを配信する必要があった。例えば、配信する情報が女性向けの化粧品の内容だった場合、この情報は男性会員にとって不要である。そのため、会員の個人情報に登録された性別で会員を選択して配信していた。すなわち、この場合では登録してある複数の会員の中から女性会員だけを選んで、女性向けの化粧品の情報を示す電子メールを配信していた。このため、情報提供者は、登録した複数の会員の中から電子メールを配信する会員を選択するには、年齢、性別など会員の個人情報が必ず必要であった。そして、会員の個人情報を所有している情報提供者は、会員の個人情報の不用意な流出や個人情報の不正利用などを防ぐために、セキュリティを強化しなければならなかった。【０００５】
また、電子メールの配信を他の企業などに委託する場合には、会員の個人情報を第３者に開示しなければならなかった。そのため、情報提供者がセキュリティの強化を図っても、その会員の個人情報が第３者から外部に漏洩する恐れがあった。【０００６】
また、会員が登録した住所やメールアドレス等を変更した際には、登録されている会員の個人情報の内容の変更、追加などを変更すると共に、第３者に開示した会員の個人情報の変更、追加も必要となり、メンテナンスのコストが高くなってしまうという問題が生じる。さらに、登録してあるメールアドレス等の変更が会員から通知されていない場合や、会員がメールアドレスを持っていない場合には、その会員に対して電子メールを配信することができなかった。【０００７】
そこで、本発明は、上記のような問題点に着目し、会員の個人情報を持たずに任意の配信条件で選択された会員に対して、当該会員の一意の会員番号だけで確実に電子メールを配信する電子メール配信装置、電子メール配信システム、および、電子メール配信プログラムを提供することを課題とする。
【課題を解決するための手段】
【０００８】
上記課題を解決するためになされた請求項１に記載の本発明の電子メール配信装置は、図１の基本構成図に示すように、登録した複数の会員の各々の個人情報と該会員を示す会員番号とを関連付けて管理する管理装置２０との間で通信手段１６を介した通信を行い、かつ、前記登録した複数の会員の中で配信対象となる会員に電子メールを配信する電子メール配信装置１０において、前記管理装置２０から前記通信手段１６を介して前記会員の会員番号を取得する会員番号取得手段Ｐ１１と、前記会員番号取得手段Ｐ１１が取得した会員番号の各々に一意的な識別データを割り振り、該割り振った識別データと前記取得した会員番号とを有する識別情報を作成し、該識別情報に対応した前記電子メールを記憶する電子メール記憶手段Ｄ１２を該識別情報と一対一に割り当てる識別情報作成手段Ｐ１２と、前記作成した識別情報を前記管理装置に前記通信手段を介して通知する通知手段Ｐ１３と、前記作成した識別情報を前記会員番号に関連付けて記憶する識別情報記憶手段Ｄ１１と、前記管理装置２０側で前記複数の会員番号の中から任意の配信条件で選択された選択会員番号と該選択会員番号に配信する前記電子メールとを、前記管理装置２０から前記通信手段１６を介して取得する配信電子メール取得手段Ｐ１４と、前記取得した選択会員番号に一致する前記会員番号を有する前記識別情報を特定し、該特定した識別情報に対応する前記電子メール記憶手段Ｄ１２に前記取得した電子メールを記憶する配信手段Ｐ１５と、前記会員から指定された前記識別情報に対応した電子メール記憶手段Ｄ１２を特定し、該電子メール記憶手段Ｄ１２が記憶している前記電子メールを前記会員に対して送信する送信手段Ｐ１６と、を有することを特徴とする。【０００９】
上記請求項１に記載した本発明の電子メール配信装置によれば、会員番号取得手段Ｐ１１が通信手段１６を介して管理装置２０から会員番号を取得すると、識別情報作成手段Ｐ１２が当該会員番号に対して一意的な識別データを割り振り、該割り振った識別データと前記取得した会員番号とを有する識別情報を作成すると、該識別情報に電子メール記憶手段Ｄ１２を一対一に割り当てる。また、該作成した識別情報は、会員番号に関連付けられて識別情報記憶手段Ｄ１１に記憶されるとともに、通知手段Ｐ１３によって管理装置２０に通信手段１６を介して通知される。そして、管理装置２０側で複数の会員番号の中から任意の配信条件で選択された選択会員番号と該選択会員番号に配信する電子メールとが発生すると、配信電子メール取得手段Ｐ１４が選択会員番号と電子メールを管理装置２０から通信手段１６を介して取得する。そして、配信手段Ｐ１５は取得した選択会員番号に一致する会員番号を有する識別情報を特定し、該特定した識別情報に対応する電子メール記憶手段Ｄ１２に前記取得した電子メールを記憶することで、配信対象の電子メール記憶手段Ｄ１２にのみ電子メールが配信される。そして、会員から識別情報が指定されると、電子メール送信手段Ｐ１６が当該指定された識別情報に対応した電子メール記憶手段Ｄ１２を特定し、該電子メール記憶手段Ｄ１２が記憶している前記電子メールを会員に対して送信する。【００１０】
上記課題を解決するためになされた請求項２に記載の本発明の電子メール配信装置は、図１の基本構成図に示すように、請求項１に記載の電子メール配信装置１０において、前記電子メール記憶手段Ｄ１２に記憶している前記電子メールを前記会員に転送する転送先メールアドレスを、前記通信手段１６を介して取得して前記電子メール記憶手段Ｄ１２に関連付ける転送先メールアドレス取得手段Ｐ１７と、前記電子メール記憶手段Ｄ１２に記憶している前記電子メールを前記取得した転送先メールアドレスに転送する転送手段Ｐ１８と、を有することを特徴とする。【００１１】
上記請求項２に記載した本発明の電子メール配信装置によれば、転送先メールアドレス取得手段Ｐ１７が電子メール記憶手段Ｄ１２に記憶している電子メールを会員に転送する転送先メールアドレスを、例えば管理装置２０、会員が利用する端末装置、等から通信手段１６を介して取得すると、転送手段Ｐ１８が電子メール記憶手段Ｄ１２に記憶している電子メールを転送先メールアドレスに転送する。【００１２】
上記課題を解決するためになされた請求項３に記載の本発明の電子メール配信装置は、図１の基本構成図に示すように、前記配信電子メール取得手段Ｐ１４が取得した電子メールの前記選択会員番号に対する配信結果を示すログ情報を記憶するログ情報記憶手段Ｄ１３を有することを特徴とする。【００１３】
上記請求項３に記載した本発明の電子メール配信装置によれば、配信電子メール取得手段Ｐ１４が選択会員番号と電子メールを取得して配信手段Ｐ１５によって配信されると、選択会員番号に対する配信結果を示すログ情報がログ情報記憶手段Ｄ１３に記憶される。【００１４】
上記課題を解決するためになされた請求項４に記載の本発明の電子メール配信装置は、図１の基本構成図に示すように、前記ログ情報記憶手段Ｄ１３が記憶しているログ情報を予め定めた送信先に送信するログ情報送信手段Ｐ１９を有することを特徴とする。【００１５】
上記請求項４に記載した本発明の電子メール配信装置によれば、ログ情報記憶手段Ｄ１３に記憶しているログ情報は、ログ情報送信手段Ｐ１９によって例えば配信情報の依頼者、管理装置２０の管理者等の要求元に送信される。【００１６】
上記課題を解決するためになされた請求項５に記載の本発明の電子メール配信システムは、図１の基本構成図に示すように、請求項１〜４のいずれか１項に記載の電子メール配信装置１０と、前記管理装置２０と、を有する電子メール配信システムであって、前記管理装置２０は、前記会員の会員番号を前記電子メール配信装置に出力する会員番号出力手段Ｐ２１と、前記複数の会員の中から任意の配信条件で前記選択会員番号を選択し、前記選択会員番号と該選択会員番号に配信する前記電子メールを前記電子メール配信装置に出力する会員番号選択手段Ｐ２２と、を有することを特徴とする。【００１７】
上記請求項５に記載した本発明の電子メール配信システムによれば、管理装置２０の会員番号出力手段Ｐ２１が会員番号を電子メール配信装置１０に対して出力すると、電子メール配信装置１０の会員番号取得手段Ｐ１１が通信手段１６を介して当該会員番号を取得する。電子メール配信装置１０の識別情報作成手段Ｐ１２が当該会員番号に対して一意的な識別データを割り振り、該割り振った識別データと前記取得した会員番号とを有する識別情報を作成すると、該識別情報に電子メール記憶手段Ｄ１２が一対一に割り当てられる。また、該作成した識別情報は、会員番号に関連付けられて識別情報記憶手段Ｄ１１に記憶されるとともに、通知手段Ｐ１３によって管理装置２０に通信手段１６を介して通知される。そして、管理装置２０の会員番号選択手段Ｐ２２が複数の会員番号の中から任意の配信条件で選択された選択会員番号と該選択会員番号に配信する電子メールと電子メール配信装置１０に出力すると、配信電子メール取得手段Ｐ１４が選択会員番号と電子メールを管理装置２０から通信手段１６を介して取得する。そして、配信手段Ｐ１５は取得した選択会員番号に一致する会員番号を有する識別情報を特定し、該特定した識別情報に対応する電子メール記憶手段Ｄ１２に前記取得した電子メールを記憶することで、配信対象の電子メール記憶手段Ｄ１２にのみ電子メールが配信される。そして、会員から識別情報が指定されると、電子メール送信手段Ｐ１６が当該指定された識別情報に対応した電子メール記憶手段Ｄ１２を特定し、該電子メール記憶手段Ｄ１２が記憶している前記電子メールを会員に対して送信する。【００１８】
上記課題を解決するためになされた請求項６に記載の本発明の電子メール配信プログラムは、図１の基本構成図に示すように、登録した複数の会員の各々の個人情報と該会員を示す会員番号とを関連付けて管理する管理装置２０との間で通信手段１６を介した通信を行い、かつ、前記登録した複数の会員の中で配信対象となる会員に電子メールを配信する電子メール配信装置１０のコンピュータを、前記管理装置２０から前記通信手段１６を介して前記会員の会員番号を取得する会員番号取得手段Ｐ１１、前記会員番号取得手段Ｐ１１が取得した会員番号の各々に一意的な識別データを割り振り、該割り振った識別データと前記取得した会員番号とを有する識別情報を作成して識別情報記憶手段に記憶し、該識別情報に対応した前記電子メールを記憶する電子メール記憶手段を該識別情報と一対一に割り当てる識別情報作成手段Ｐ１２、前記作成した識別情報を前記管理装置２０に前記通信手段１６を介して通知する通知手段Ｐ１３、前記管理装置２０側で前記複数の会員番号の中から任意の配信条件で選択された選択会員番号と該選択会員番号に配信する前記電子メールとを、前記管理装置２０から前記通信手段１６を介して取得する配信電子メール取得手段Ｐ１４、前記取得した選択会員番号に一致する前記会員番号を有する前記識別情報を特定し、該特定した識別情報に対応する前記電子メール記憶手段Ｄ１２に前記取得した電子メールを記憶する配信手段Ｐ１５、前記会員から指定された前記識別情報に対応した電子メール記憶手段Ｄ１２を特定し、該電子メール記憶手段Ｄ１２が記憶している前記電子メールを前記会員に対して送信する送信手段Ｐ１６、として機能させるための電子メール配信プログラムである。【００１９】
上記請求項６に記載した本発明の電子メール配信プログラムによれば、電子メール配信装置１０のコンピュータは、通信手段１６を介して管理装置２０から会員番号を取得すると、当該会員番号に対して一意的な識別データを割り振り、該割り振った識別データと前記取得した会員番号とを有する識別情報を作成すると、該識別情報に電子メール記憶手段Ｄ１２が一対一に割り当てる。また、該作成した識別情報は、会員番号に関連付けられて識別情報記憶手段Ｄ１１に記憶されるとともに、管理装置２０に通信手段１６を介して通知される。そして、管理装置２０側で複数の会員番号の中から任意の配信条件で選択された選択会員番号と該選択会員番号に配信する電子メールとが発生すると、コンピュータは選択会員番号と電子メールを管理装置２０から通信手段１６を介して取得する。そして、コンピュータは取得した選択会員番号に一致する会員番号を有する識別情報を特定し、該特定した識別情報に対応する電子メール記憶手段Ｄ１２に前記取得した電子メールを記憶することで、配信対象の電子メール記憶手段Ｄ１２にのみ電子メールを配信する。そして、会員から識別情報が指定されると、コンピュータは当該指定された識別情報に対応した電子メール記憶手段Ｄ１２を特定し、該電子メール記憶手段Ｄ１２が記憶している前記電子メールを会員に対して送信する。
【発明の効果】
【００２０】
以上説明したように請求項１、５、６記載の本発明によれば、登録した複数の会員の中で配信対象となる会員に電子メールを配信する際、管理装置から会員の会員番号を取得して当該会員番号の各々に対応する識別情報を作成し、当該識別情報の各々に対応するメール記憶手段を設け、前記管理装置から選択された選択会員番号に対応したメール受信記憶手段に電子メールを記憶することで、電子メールを配信するようにしたことから、電子メールの配信側で会員の個人情報を持たずに、配信対象となる会員に確実に電子メールを配信することができるため、電子メールの配信を他の企業などに委託することができる。さらに、電子メールの配信側で個人情報を持つ必要がないので、会員の個人情報の不用意な流出や個人情報の不正利用を防ぐことができると共に、セキュリティを向上させることができる。【００２１】
また、電子メールの配信を他の企業などに委託する際、会員の個人情報を第３者に開示する必要がなくなり、個人情報の漏洩を防止することができる。また、会員番号のみで管理することができるので、システムのメンテナンスコストを最小限に抑えることが可能である。【００２２】
また、複数の会員の各々に一対一に対応した電子メール記憶手段を設けていることから、配信する電子メールを配信対象の電子メール記憶手段に配信することができるため、メールアドレスを個人情報として登録していない会員に対しても電子メールで情報を配信することができる。さらに、識別情報に一対一に対応した電子メール記憶手段に記憶している電子メールを会員に送信するので、会員個人のメールアドレスに電子メールが直接配信されることがなく、会員の個人情報を登録しなくても、会員が必要な配信情報を得ることができる。【００２３】
請求項２記載の本発明によれば、会員が登録したメールアドレスにメール受信手段で受信した電子メールを転送するようにしたことから、メールアドレス以外の会員の個人情報を持たずに会員が利用しているメールアドレスに転送することができると共に、より高い確率で会員に配信した電子メールを見てもらうことが可能となる。【００２４】
請求項３記載の本発明によれば、選択会員番号に対する電子メールの配信結果を示すログ情報を記憶するようにしたことから、例えば情報提供者側、管理装置側、等がログ情報を参照することで、配信条件によって選択した会員に電子メールが配信されたかを確認することができる。【００２５】
請求項４記載の本発明によれば、ログ情報記憶手段に記憶しているログ情報を予め定めた送信先に送信するようにしたことから、送信先を情報提供者側、管理装置側、等と設定することで、情報提供者側、管理装置側、等は受信したログ情報に基づいて、情報提供者（情報送信者）が、どの会員に配信したかを確認することができると共に、そのログ情報で配信履歴等を管理することが可能である。
【図面の簡単な説明】
【００２６】
【図１】電子メール配信装置、管理装置、および、電子メール配信システムの基本構成を示す構成図である。
【図２】電子メール配信装置、管理装置、および、電子メール配信システムのシステム概略構成を示すシステム構成図である。
【図３】図２中の電子メール配信装置および管理装置の基本構成の一例を示す構成図である。
【図４】管理装置で用いられる個人情報データベースのテーブルを示す図である。
【図５】本発明の電子メール配信装置の一実施形態に用いられる識別情報データベースのテーブルを示す図である。
【図６】識別情報と電子メール記憶手段との関係を説明するための図である。
【図７】本発明の電子メール配信装置の一実施形態に用いられるログ情報データベースのテーブルを示す図である。
【図８】図３中の電子メール配信装置および管理装置の各ＣＰＵが会員登録時に実行する処理概要の一例を示すフローチャートである。
【図９】図３中の電子メール配信装置および管理装置の各ＣＰＵが配信依頼発生時に実行する処理概要の一例を示すフローチャートである。
【図１０】図３中の電子メール配信処理のＣＰＵが実行するメール出力処理の一例を示すフローチャートである。
【図１１】図３中の電子メール配信装置および管理装置の各ＣＰＵが会員登録時に実行する処理概要の一例を示すフローチャートである。
【符号の説明】
【００２７】
１    電子メール配信システム
１０  電子メール配信装置
１６  通信手段
２０  管理装置
Ｐ１１  会員番号取得手段
Ｐ１２  識別情報作成手段
Ｐ１３  通知手段
Ｐ１４  配信電子メール取得手段
Ｐ１５  配信手段
Ｐ１６  電子メール送信手段
Ｐ１７  転送先メールアドレス取得手段
Ｐ１８  転送手段
Ｐ１９  ログ情報送信手段
Ｐ２１  会員番号出力手段
Ｐ２２  会員番号選択手段
Ｄ１  個人情報
Ｄ２  識別情報
Ｄ３  ログ情報
Ｄ１１  識別情報記憶手段
Ｄ１２  電子メール記憶手段
【発明を実施するための最良の形態】
【００２８】
以下、上述した本発明の電子メール配信装置、電子メール配信システム、および、電子メール配信プログラムを、図１乃至図１１の図面を参照して説明する。【００２９】
図２に示すように、電子メール配信システム１は、電子メールを配信する会社等に設けられる電子メール配信装置１０と、登録した複数の会員Ａ〜Ｎの各々の個人情報を管理する会社等に設けられる管理装置２０と、を有している。【００３０】
電子メール配信装置１０および管理装置２０は、インターネット３を介して通信可能にそれぞれ接続されていて、各種データの送受信が可能な構成となっている。該インターネット３には、複数の会員Ａ〜Ｎの各々が用いる例えば、パーソナル・コンピュータ、携帯電話機、等の各種端末装置７０が電気的に接続されており、電子メール配信装置１０と管理装置２０と端末装置７０との間で通信可能な構成となっている。なお、電子メール配信装置１０および管理装置２０の通信方法は、直接接続で無線／有線による通信を行うことも可能である。本実施形態では、インターネット３を介した通信を行う場合について説明するが、本発明はこれに限定するものではなく、各種通信網を介した通信とすることもできる。【００３１】
まず、管理装置２０について以下に説明する。管理装置２０は、通信装置を有するコンピュータが用いられる。図３に示すように、管理装置２０は、予め定めたプログラムに従って装置全体の動作の制御などを行う中央演算装置（ＣＰＵ）２１を有している。このＣＰＵ２１には、バスＢを介してＣＰＵ２１のためのプログラム等を格納した読み出し専用のメモリであるＲＯＭ２２、ＣＰＵ２１の処理作業に必要な各種データを格納する作業エリア等を有する読み出し書き込み自在のメモリであるＲＡＭ２３、が接続されている。【００３２】
また、ＣＰＵ２１には、記憶装置２４がバスＢを介して接続されており、この記憶装置２４にはハードディスク装置や大容量のメモリなどが用いられる。記憶装置２４は、個人情報Ｄ１を管理するプログラムＰ２等の各種プログラムや、会員の会員番号と該会員の個人情報Ｄ１とを一対一に関連付けて格納する個人情報データベース（ＤＢ）４０等の各種情報を記憶している。【００３３】
個人情報Ｄ１は、登録された複数の会員を管理する会社側でのみ管理される情報となっている。個人情報Ｄ１は、図４に示すように、会員を一意に識別する例えば会員番号、氏名、年齢、性別、住所、メールアドレスなどの会員の個人的なデータを有して構成している。【００３４】
また、記憶装置１４に記憶している個人情報Ｄ１を管理するためのプログラムＰ２が、ＣＰＵ２１によって実行されることにより、会員の会員番号を電子メール配信装置１０に出力する会員番号出力手段Ｐ２１、複数の会員の中から任意の配信条件で前記選択会員番号を選択し、選択会員番号と該選択会員番号に配信する電子メールを電子メール配信装置１０に出力する会員番号選択手段Ｐ２２、等の各種手段としてＣＰＵ２１が機能する。【００３５】
なお、本実施形態では、管理装置２０における記憶装置２４に個人情報Ｄ１を記憶している場合について説明するが、本発明はこれに限定するものではなく、例えば、管理装置２０がネットワークを介して読み出し可能であれば、他のパソコンのハードディスク装置等に記憶した個人情報に基づいて、会員に電子メールを配信することができる。【００３６】
また、上述したＣＰＵ２１には、図３に示すように、入力装置２５、通信装置２６、表示装置２７等がバスＢを介して接続されている。入力装置２５は、キーボード、マウス等を有しており、入力装置２５から入力された各種入力データは、バスＢを介してＣＰＵ２１に出力される。【００３７】
通信装置２６は、ＬＡＮカード、携帯電話用モデム等の設置環境に適した通信機器を用いており、通信手段として機能している。そして、通信装置２６は、受信した情報をＣＰＵ２１に出力すると共に、インターネット３を介して、ＣＰＵ２１から入力された情報を指示された送信先に送信する。【００３８】
表示装置２７は、公知である液晶ディスプレイ、ＣＲＴ等の各種表示器が用いられる。そして、表示装置２７は、ＣＰＵ２１からの指示に基づいて各種表示を行う。【００３９】
次に、電子メール配信装置１０について以下に説明する。電子メール配信装置１０は、上述した管理装置２０と同様に、通信装置を有するコンピュータが用いられ、図３に示すＣＰＵ１１、ＲＯＭ１２、ＲＡＭ１３、記憶装置１４、入力装置１５、請求項中の通信手段に相当する通信装置１６、表示装置１７等を有して構成している。したがって、前述した管理装置２０と同一の構成部分に関しては説明を省略し、異なる部分のみを以下に説明する。【００４０】
電子メール配信装置１０における記憶装置１４は、図２中の電子メール配信プログラムＰ１等の各種プログラムや、識別情報Ｄ２を格納する識別情報データベース（ＤＢ）５０、電子メールの配信結果を示すログ情報Ｄ３を格納するログ情報データベース（ＤＢ）６０等の各種情報等を記憶している。なお、電子メール配信プログラムＰ１等は、インターネットを介してダウンロードされたり、ＣＤ−ＲＯＭ等の記憶媒体からインストールされたりして記憶装置１４に記憶される。また、本実施形態では、識別情報Ｄ２およびログ情報Ｄ３を別々のデータベースとして格納したが、本発明はこれに限定するものではなく、識別情報Ｄ２およびログ情報Ｄ３を１つのデータベースに格納することもできる。【００４１】
識別情報Ｄ２は、請求項中の識別情報に相当し、図５に示すように、管理装置２０から取得する会員番号と、該会員番号に対応して割り振られたＩＤと、該ＩＤの各々に対応して割り振られたメールアドレスと、そのパスワードと、会員等から指定された転送先メールアドレスと、を有して構成している。本実施形態では、複数の会員の各々に対して割り振ったＩＤと、メールアドレスと、そのパスワードと、を有する識別情報Ｄ２としているが、本発明はこれに限定するものではなく、会員番号を一意的に識別できる情報であればよい。ゆえに、識別情報Ｄ２を会員番号の各々に対応するＩＤのみ、または、会員番号の各々に対応するメールアドレスのみで構成することもできる。【００４２】
また、識別情報Ｄ２のＩＤは、管理装置２０から会員番号を取得したときに、例えば、発生させた乱数等に基づいて作成した一意的な番号、予め定められた未選択状態の複数の番号の中から選択した番号、等が電子メール配信装置１０によって割り振られる。そして、識別情報Ｄ２のメールアドレスは、電子メール配信装置１０等で予め用意した複数の未使用状態のメールアドレスの中から１つのメールアドレスが割り当てられる。そして、識別情報Ｄ２のパスワードは、電子メール配信装置２０によって例えば４文字等のパスワードが生成されて設定される。そして、本実施形態では、会員等から選択された転送先メールアドレスが設定可能としており、会員によって設定されていない場合は、ＮＵＬＬが設定される。【００４３】
また、本実施形態では、ＩＤを文字列と数字とで作成したが、本発明はこれに限定するものではなく、会員番号に対して識別できる情報であれば文字列のみ、または、数字のみで作成することもできる。【００４４】
ここで、上述した識別情報Ｄ２と該識別情報Ｄ２に対応する電子メール記憶手段Ｄ１２との関係の一例を図６を参照して以下に説明する。【００４５】
図６において、複数の電子メール記憶手段Ｄ１２の各々は、識別情報Ｄ２に対応して一対一に設けられ、かつ、対応した識別情報Ｄ２の会員番号と一致した選択会員番号に配信する電子メールを記憶する。即ち、電子メール記憶手段Ｄ１２は、選択的に配信する電子メールを保管しておく記憶領域であり、一般的なメールボックスに相当している。なお、本実施形態では記憶装置１４の所定の記憶領域に複数の電子メール記憶手段Ｄ１２を割り当てている。そして、電子メール記憶手段Ｄ１２は、識別情報Ｄ２のメールアドレス等によって導き出される記憶装置１４の所定の記憶領域となっており、管理装置２０側で選択された会員番号に配信される電子メールが時系列的に記憶される。【００４６】
電子メール配信装置１０は、電子メールのアプリケーション・ソフトウェアをＣＰＵ１１が実行することで、電子メール記憶手段Ｄ１２の各々に記憶している複数の電子メールの一覧を表示する機能、会員等から要求された電子メールを当該要求元に送信する機能、等を有する。【００４７】
図２に示す複数の会員Ａ〜Ｎが管理装置２０に会員登録されると、電子メール配信装置１０は、図６に示すように、管理装置２０から取得した会員Ａ〜Ｎの会員番号の各々に対応した識別情報Ｄ２ａ〜ｎを作成して識別情報ＤＢ５０に格納（登録）する。例えば、会員Ａさんに対しては、識別情報Ｄ２ａの会員番号に“１０１”、ＩＤに“Ａ００１”、メールアドレスに“Ｂ００１＠ｘｘｘｘ．ｃｏｍ”、パスワードに初期パスワードである“ＸＸＸＸ”、転送先メールアドレスに“アドレス００１”がそれぞれ設定されて識別情報Ｄ２ａを電子メール配信装置１０は作成する。同様に、電子メール配信装置１０は会員Ｂ〜Ｎさんに対する識別情報Ｄ２ｂ〜ｎを作成する。【００４８】
そして、電子メール配信装置１０は、当該作成した識別情報Ｄ２ａ〜ｎの各々に対応した電子メール記憶手段Ｄ１２ａ〜ｎを記憶装置１４に割り当てる。そして、本実施形態では、識別情報Ｄ２のメールアドレスが前記電子メール記憶手段Ｄ１２の先頭アドレスを指示するように構成している。なお、電子メール記憶手段Ｄ１２ａ〜ｎについては、電子メール配信装置１０の外部の記憶装置や電子メール配信装置１０が接続可能なネットワーク上のパーソナル・コンピュータの記憶装置等とすることもできる。【００４９】
ログ情報Ｄ３は、図６に示すように、配信情報の配信対象となる会員に対応したＩＤ、該ＩＤに対する配信結果、等の各種データを有して構成している。なお、配信結果としては、配信情報の複数の電子メール記憶手段Ｄ１２に対して記憶（配信）したか否かを配信結果としたり、電子メール記憶手段Ｄ１２に記憶した配信情報を会員が参照したか否かを配信結果としたり、その双方の結果を段階的な配信結果とするなど、システムの仕様に応じて任意に定めることができる。【００５０】
図２に示す電子メール配信プログラムＰ１は、登録した複数の会員の各々の個人情報と該会員を示す会員番号とを関連付けて管理する管理装置２０との間で通信手段１６を介した通信を行い、かつ、前記登録した複数の会員の中で配信対象となる会員に電子メールを配信する電子メール配信装置１０のＣＰＵ（コンピュータ）１１を、前記管理装置２０から前記通信手段１６を介して前記会員の会員番号を取得する会員番号取得手段Ｐ１１、前記会員番号取得手段Ｐ１１が取得した会員番号の各々に一意的な識別データを割り振り、該割り振った識別データと前記取得した会員番号とを有する識別情報を作成して識別情報記憶手段に記憶し、該識別情報に対応した前記電子メールを記憶する電子メール記憶手段を該識別情報と一対一に割り当てる識別情報作成手段Ｐ１２、前記作成した識別情報を前記管理装置２０に前記通信手段１６を介して通知する通知手段Ｐ１３、前記管理装置２０側で前記複数の会員番号の中から任意の配信条件で選択された選択会員番号と該選択会員番号に配信する前記電子メールとを、前記管理装置２０から前記通信手段１６を介して取得する配信電子メール取得手段Ｐ１４、前記取得した選択会員番号に一致する前記会員番号を有する前記識別情報を特定し、該特定した識別情報に対応する前記電子メール記憶手段Ｄ１２に前記取得した電子メールを記憶する配信手段Ｐ１５、前記会員から指定された前記識別情報に対応した電子メール記憶手段Ｄ１２を特定し、該電子メール記憶手段Ｄ１２が記憶している前記電子メールを前記会員に対して送信する送信手段Ｐ１６、として機能させるための電子メール配信プログラムとなっている。そして、ＣＰＵ１１は電子メール配信プログラムＰ１を実行することで、上述した各種手段として機能することになる。【００５１】
次に、上述したＣＰＵ２１が上述した管理装置２０のプログラムＰ２を実行したときの処理、および、上述したＣＰＵ１１が上述した電子メール配信装置１０の電子メール配信プログラムＰ１を実行したときの電子メール配信処理の一例を、図８乃至図１１のフローチャートを参照して以下に説明する。【００５２】
なお、本実施形態では、上述した電子メール配信システム１において、音楽配信会社等に登録した複数の会員Ａ〜Ｎの個人情報Ｄ１に基づいて、複数の会員Ａ〜Ｎの中から管理装置２０で選択された選択会員番号の会員に電子メールを配信する場合について説明する。【００５３】
（会員登録時）
まず、管理装置２０に新たな会員が登録されたときに、管理装置２０のＣＰＵ２１と電子メール配信装置１０のＣＰＵ１１が実行する処理概要の一例を、図８の図面を参照して以下に説明する。【００５４】
まず、管理装置２０は、ステップＴ１０１において、個人情報ＤＢ４０から配信対象として新たに登録する会員番号を取得し、ステップＴ１０２（会員番号出力手段に相当）において、取得した会員番号を電子メール配信装置１０に通信装置２６を介して出力する。なお、会員番号の取得方法の一例としては、予め定められた電子登録台帳等を用いて会員番号を割り振る方法等が用いられる。【００５５】
一方、電子メール配信装置１０は、ステップＳ１１（識別情報取得手段Ｐ１１に相当）において、通信装置１６を介して管理装置２０が出力した会員番号を取得（受信）し、その後ステップＳ１２の処理に進む。なお、会員番号の取得方法としては、取り外し可能な記憶媒体に管理装置２０が複数の会員番号を記憶し、電子メール配信装置１０が該記憶媒体から会員番号を読み取って取得するなど種々異なる実施形態とすることができる。【００５６】
電子メール配信装置１０は、ステップＳ１２（識別情報作成手段Ｐ１２に相当）において、該取得した会員番号に対応した識別情報を作成し、その後ステップＳ１３の処理に進む。詳細には、前記取得した会員番号の各々に一意的なＩＤ（識別データ）とメールアドレスとパスワードとを割り振り、取得した会員番号とＩＤとメールアドレスとパスワードとを有する識別情報Ｄ２（図５参照）を作成し、該識別情報Ｄ２のメールアドレスに対応した電子メールを記憶する前記電子メール記憶手段Ｄ１２を、図６に示すように一対一に割り当てる。【００５７】
電子メール配信装置１０は、ステップＳ１３において、ステップＳ１２で作成した識別情報Ｄ２を会員番号に関連付けて識別情報ＤＢ５０に記憶し、ステップＳ１４（通知手段Ｐ１３に相当）において、識別情報を管理装置２０に通信装置１６を介して出力（送信）することで管理装置２０等に通知し、その後処理を終了する。【００５８】
一方、管理装置２０は、ステップＴ１０３において、通信装置２６を介して管理装置２０が出力した会員番号を取得（受信）すると、ステップＴ１０４において、該取得した識別情報を、識別情報の会員番号を参照して個人情報Ｄ１に関連付けて記憶装置２４等に記憶すると共に、該識別情報を有する電子メール等を作成して会員等に送信し、その後処理を終了する。【００５９】
これらの処理により、会員は管理装置２０から通知された識別情報を参照することで、電子メール配信装置１０によって割り振られたＩＤとメールアドレスとパスワードを確認することができる。【００６０】
また、管理装置２０は、会員から前記割り振られたＩＤとパスワードと転送先メールアドレスを取得すると、それらを電子メール配信装置１０に通信装置１４を介して出力する。すると、電子メール配信装置１０は、転送先メールアドレス取得手段Ｐ１７として機能して、通信装置１４を介して管理装置２０からＩＤ、パスワード、転送先メールアドレスを取得すると、ＩＤとパスワードに基づいて認証を行い、認証が成立したときに、ＩＤに対応した識別情報Ｄ２を識別情報ＤＢ５０から抽出して転送先メールアドレスを設定する。【００６１】
（配信依頼発生時）
次に、管理装置２０において配信情報の配信依頼が発生したときに、管理装置２０のＣＰＵ２１と電子メール配信装置１０のＣＰＵ１１が実行する処理概要の一例を、図９の図面を参照して以下に説明する。【００６２】
管理装置２０は、ステップＴ１１１において、管理者、情報提供者、等によって任意の配信条件と配信情報を取得すると、ステップＴ１１２において、該配信条件と個人情報ＤＢ４０の複数の個人情報Ｄ１とを比較して、該配信条件を満たす個人情報データベース４０を選択し、該選択した個人情報Ｄ１に対応した会員番号を選択会員番号として選択する。管理装置２０は、ステップＴ１１３において、ステップＴ１１２で選択した選択会員番号と前記配信情報（電子メールでもよい）を電子メール配信装置１０に通信装置２６を介して出力して処理を終了する。【００６３】
なお、本実施形態では、管理装置２０が前記配信情報を電子メール配信装置１０に出力する場合について説明するが、前記配信情報は本発明の電子メールの内容であることから、電子メールとして前記配信情報を出力することもできる。また、配信条件とは、複数の会員の中から配信対象となる会員を選択するための選択情報であり、例えば、２０歳から４０歳までの女性、２０歳代の男女、等が配信条件として挙げられる。また、配信条件の入力方法は、例えば、専用の入力画面で入力させるなど種々異なる入力方法で行うことができる。【００６４】
一方、電子メール配信装置１０は、ステップＳ２１（配信電子メール取得取得手段Ｐ１４に相当）において、通信装置１６を介して管理装置２０が出力した選択会員番号と前記配信情報（電子メール）を取得（受信）する。そして、電子メール配信装置１０は、ステップＳ２２（配信手段Ｐ１５に相当）において、前記取得した選択会員番号と識別情報ＤＢ５０の識別情報Ｄ２の会員番号とを比較し、前記取得した選択会員番号に一致する前記会員番号を有する識別情報Ｄ２を特定し、該特定した識別情報Ｄ２に対応する前記電子メール記憶手段Ｄ１２に前記取得した配信情報を追加して記憶する。そして、電子メール配信装置１０は、ステップＳ２３において、前記特定した識別情報Ｄ２のＩＤと前記配信情報の配信結果とを有するログ情報Ｄ３を作成し、該ログ情報Ｄ３をログ情報ＤＢ６０に前記配信情報に関連付けて記憶し、その後処理を終了する。【００６５】
これらの処理により、複数の会員Ａ〜Ｎの中で前記配信条件を満たす会員に対応した前記電子メール記憶手段Ｄ１２にのみ、前記配信情報である電子メールが記憶されて配信され、また、前記配信条件を満たさない会員に対応した前記電子メール記憶手段Ｄ１２には前記電子メールは配信されない。【００６６】
（電子メール送信時）
次に、会員からの電子メールの出力要求が発生したときに、電子メール配信装置１０のＣＰＵ１１が実行するメール出力処理の一例を、図１０のフローチャートを参照して以下に説明する。【００６７】
電子メール配信装置１０は、通信装置１４を介して会員の端末装置等から出力要求の受信に応じてメール出力処理を実行すると、ステップＳ３１において、会員のＩＤとパスワードを前記会員の端末装置等から通信装置１６を介して取得し、ステップＳ３２において、取得したＩＤとパスワードと識別情報ＤＢ５０に記憶している識別情報Ｄ２のＩＤとパスワードとを比較して会員の認証を行う。【００６８】
電子メール配信装置１０は、ステップＳ３２において、その認証結果に基づいて認証されたか否かを判定する。認証されていないと判定した場合（Ｓ３２でＮ）、処理を終了する。一方、電子メール配信装置１０は、認証されたと判定した場合（Ｓ３２でＹ）、ステップＳ３３において、ＩＤに対応する電子メール記憶手段Ｄ１２に、電子メールが記憶されている場合はその電子メールを取得して、ステップＳ３４の処理に進む。なお、電子メールが電子メール記憶手段Ｄ１２に記憶されていない場合の処理は省略するが、例えば、その旨を会員に通知する処理を行う。【００６９】
電子メール配信装置１０は、ステップＳ３４（電子メール送信手段Ｐ１６、転送手段Ｐ１８に相当）において、前記取得した電子メールを前記会員の端末装置等に通信装置１６を介して送信し、また、前記識別情報Ｄ２に転送先メールアドレスが設定されている場合は、前記取得した電子メールを前記転送先メールアドレスに通信装置１６を介して転送する。そして、電子メール配信装置１０は、ステップＳ３５において、送信又は転送した電子メールの配信情報に対応したログ情報Ｄ３に、その送信結果を反映して更新し、処理を終了する。【００７０】
（ログ情報転送時）
次に、管理装置２０が電子メール配信装置１０にログ情報Ｄ３の転送を要求するときに、管理装置２０のＣＰＵ２１と電子メール配信装置１０のＣＰＵ１１が実行する処理概要の一例を、図１１の図面を参照して以下に説明する。【００７１】
管理装置２０は、ステップＴ１３１において、管理者、情報提供者、等によって任意の配信情報に対応するログ情報のログ転送要求が発生すると、通信装置２４を介して電子メール配信装置１０に該ログ転送要求を出力する。【００７２】
一方、電子メール配信装置１０はステップＳ４１において、通信装置１６を介して管理装置２０からログ転送要求を取得すると、ステップＳ４２において、ログ転送要求に対応するログ情報Ｄ３がログ情報ＤＢ６０にあるか否かを判定する。電子メール配信装置１０は、ログ情報Ｄ３がないと判定した場合（Ｓ４２でＮ）、その結果を管理装置２０に通知した後に処理を終了する。一方、電子メール配信装置１０は、ログ情報Ｄ３があると判定した場合（Ｓ４２でＹ）、ステップＳ４３（ログ情報送信手段Ｐ１９に相当）において、ログ情報Ｄ３をログ情報ＤＢ６０から抽出し、該ログ情報Ｄ３を本実施形態の送信先である管理装置２０に通信装置１６を介して送信し、処理を終了する。なお、送信先は、任意に設定することができる。【００７３】
一方、管理装置２０は、ステップＴ１３２において、通信装置２６を介して電子メール配信装置１０からログ情報Ｄ３を取得すると、ステップＴ１３３において、前記取得したログ情報Ｄ３を表示装置２７に出力して管理者、情報提供者、等に通知し、処理を終了する。【００７４】
以上、説明した電子メール配信システム１および電子メール配信装置１０によれば、登録した複数の会員Ａ〜Ｎの中で配信対象となる会員に電子メールを配信する際、管理装置２０から会員の会員番号を取得して当該会員番号の各々に対応する識別情報Ｄ２を作成し、当該識別情報Ｄ２の各々に対応するメール記憶手段Ｄ１２を設け、前記管理装置２０から選択された選択会員番号に対応したメール受信記憶手段Ｄ１２に電子メールを記憶することで、電子メールを配信するようにしたことから、電子メールの配信側で会員の個人情報Ｄ１を持たずに、配信対象となる会員に確実に電子メールを配信することができるため、電子メールの配信を他の企業などに委託することができる。さらに、電子メールの配信側で個人情報Ｄ１を持つ必要がないので、会員の個人情報Ｄ１の不用意な流出や個人情報Ｄ１の不正利用を防ぐことができると共に、セキュリティを向上させることができる。【００７５】
また、電子メールの配信を他の企業などに委託する際、会員の個人情報Ｄ１を第３者に開示する必要がなくなり、個人情報Ｄ１の漏洩を防止することができる。また、会員番号のみで管理することができるので、システムのメンテナンスコストを最小限に抑えることが可能である。【００７６】
また、複数の会員の各々に一対一に対応した電子メール記憶手段Ｄ１２を設けていることから、配信する電子メールを配信対象の電子メール記憶手段Ｄ１２に配信することができるため、メールアドレスを個人情報Ｄ１として登録していない会員に対しても電子メールで情報を配信することができる。さらに、識別情報Ｄ２に一対一に対応した電子メール記憶手段Ｄ１２に記憶している電子メールを会員に送信するので、会員個人のメールアドレスに電子メールが直接配信されることがなく、会員の個人情報を登録しなくても、会員が必要な配信情報を得ることができる。【００７７】
さらに、会員が登録した転送先メールアドレスに電子メール記憶手段Ｄ１２に記憶している電子メールを転送するようにしたことから、メールアドレス以外の会員の個人情報Ｄ１を持たずに会員が利用しているメールアドレスに転送することができると共に、より高い確率で会員に配信した電子メールを見てもらうことが可能となる。【００７８】
また、選択会員番号に対する電子メールの配信結果を示すログ情報Ｄ３を記憶するようにしたことから、例えば情報提供者側、管理装置側、等がログ情報Ｄ３を参照することで、配信条件によって選択した会員に電子メールが配信されたかを確認することができる。【００７９】
さらに、ログ情報ＤＢ６０（ログ情報記憶手段）に記憶しているログ情報Ｄ３を予め定めた送信先に送信するようにしたことから、送信先を情報提供者側、管理装置２０側、等と設定することで、情報提供者側、管理装置２０側、等は受信したログ情報Ｄ３に基づいて、情報提供者（情報送信者）が、どの会員に配信したかを確認することができると共に、そのログ情報Ｄ３で配信履歴等を管理することが可能である。【００８０】
このように上述した実施形態は本発明の代表的な形態を示したに過ぎず、本発明は、実施形態に限定されるものではない。即ち、本発明の骨子を逸脱しない範囲で種々変形して実施することができる。
【図１】
2010071175.tif 000003
【図２】
2010071175.tif 000004
【図３】
2010071175.tif 000005
【図４】
2010071175.tif 000006
【図５】
2010071175.tif 000007
【図６】
2010071175.tif 000008
【図７】
2010071175.tif 000009
【図８】
2010071175.tif 000010
【図９】
2010071175.tif 000011
【図１０】
2010071175.tif 000012
【図１１】
2010071175.tif 000013
【手続補正書】
【提出日】平成22年6月18日(2010.6.18)
【手続補正１】
【補正対象書類名】明細書
【補正対象項目名】全文
【補正方法】変更
【補正の内容】
【発明の詳細な説明】
【技術分野】
【０００１】
本発明は、登録した複数の会員の中で配信対象となる会員に電子メールを配信する電子メール配信装置、電子メール配信システム、および、電子メール配信プログラムに関する。
【背景技術】
【０００２】
近年、コンピュータやインターネットの普及により、電子メールでの情報のやり取りが一般的に行われるようになっている。特に、情報提供者（情報管理者）が、電子メールを利用して、会員に対して情報を配信することが盛んに行われている。例えば、特許文献１に記載されている電子メール配信装置においては、会員として登録した利用者に対して、情報提供者により作成されたメール内容と共に情報提供サイトのアドレスを記載した電子メールを配信することが記載されている。
【特許文献１】特開２００１−２８３０８０号公報
【発明の開示】
【発明が解決しようとする課題】
【０００３】
上述した特許文献１などに記載された電子メール配信装置は、会員の個人情報に基づいて、配信対象となる会員に電子メールを配信していた。このような電子メール配信装置を用いる場合、会員は、氏名、年齢、性別、住所、メールアドレスなど会員の個人情報を登録する必要があった。そして、情報提供者は、配信対象の会員に対して、その会員の個人情報に登録された配信先、すなわち、会員が登録したメールアドレスに電子メールを配信していた。
【０００４】
また、情報提供者は、配信する情報によっては配信対象が異なるため、配信対象となる会員を選択して電子メールを配信する必要があった。例えば、配信する情報が女性向けの化粧品の内容だった場合、この情報は男性会員にとって不要である。そのため、会員の個人情報に登録された性別で会員を選択して配信していた。すなわち、この場合では登録してある複数の会員の中から女性会員だけを選んで、女性向けの化粧品の情報を示す電子メールを配信していた。このため、情報提供者は、登録した複数の会員の中から電子メールを配信する会員を選択するには、年齢、性別など会員の個人情報が必ず必要であった。そして、会員の個人情報を所有している情報提供者は、会員の個人情報の不用意な流出や個人情報の不正利用などを防ぐために、セキュリティを強化しなければならなかった。
【０００５】
また、電子メールの配信を他の企業などに委託する場合には、会員の個人情報を第３者に開示しなければならなかった。そのため、情報提供者がセキュリティの強化を図っても、その会員の個人情報が第３者から外部に漏洩する恐れがあった。
【０００６】
また、会員が登録した住所やメールアドレス等を変更した際には、登録されている会員の個人情報の内容の変更、追加などを変更すると共に、第３者に開示した会員の個人情報の変更、追加も必要となり、メンテナンスのコストが高くなってしまうという問題が生じる。さらに、登録してあるメールアドレス等の変更が会員から通知されていない場合や、会員がメールアドレスを持っていない場合には、その会員に対して電子メールを配信することができなかった。
【０００７】
そこで、本発明は、上記のような問題点に着目し、会員の個人情報を持たずに任意の配信条件で選択された会員に対して、当該会員の一意の会員番号だけで確実に電子メールを配信する電子メール配信装置、電子メール配信システム、および、電子メール配信プログラムを提供することを課題とする。
【課題を解決するための手段】
【０００８】
上記課題を解決するためになされた請求項１に記載の本発明の電子メール配信装置は、図１の基本構成図に示すように、登録した複数の会員の各々の個人情報と該会員を示す会員番号とを関連付けて管理する管理装置２０との間で通信手段１６を介した通信を行い、かつ、前記登録した複数の会員の中で配信対象となる会員の端末装置に電子メールを配信する電子メール配信装置１０において、前記管理装置２０から前記通信手段１６を介して前記会員の会員番号を取得する会員番号取得手段Ｐ１１と、前記会員番号取得手段Ｐ１１が取得した会員番号の各々に一意的な識別データを割り振り、該割り振った識別データと前記取得した会員番号とを有する識別情報を作成する識別情報作成手段Ｐ１２と、前記識別情報が有する識別データに対応して設けられ、前記会員の端末装置に配信する前記電子メールを記憶する電子メール記憶手段Ｄ１２と、前記作成した識別情報を前記管理装置に前記通信手段を介して通知する通知手段Ｐ１３と、前記作成した識別情報を前記会員番号に関連付けて記憶する識別情報記憶手段Ｄ１１と、前記管理装置２０側で前記複数の会員番号の中から選択された任意の配信条件を満たす前記個人情報に対応した選択会員番号と該選択会員番号に配信する前記電子メールとを、前記管理装置２０から前記通信手段１６を介して取得する配信電子メール取得手段Ｐ１４と、前記取得した選択会員番号に一致する前記会員番号を有する前記識別情報を特定し、該特定した識別情報に対応する前記電子メール記憶手段Ｄ１２に前記取得した電子メールを記憶する配信手段Ｐ１５と、前記会員の端末装置から取得した前記識別データが示す前記識別情報に対応した前記電子メール記憶手段Ｄ１２を特定し、該電子メール記憶手段Ｄ１２が記憶している前記電子メールを前記会員の端末装置に対して送信する電子メール送信手段Ｐ１６と、を有することを特徴とする。
【０００９】
上記請求項１に記載した本発明の電子メール配信装置によれば、会員番号取得手段Ｐ１１が通信手段１６を介して管理装置２０から会員番号を取得すると、識別情報作成手段Ｐ１２が当該会員番号に対して一意的な識別データを割り振り、該割り振った識別データと前記取得した会員番号とを有する識別情報を作成すると、該識別情報が有する識別データに対応した電子メール記憶手段が設けられる。また、該作成した識別情報は、会員番号に関連付けられて識別情報記憶手段Ｄ１１に記憶されるとともに、通知手段Ｐ１３によって管理装置２０に通信手段１６を介して通知される。そして、管理装置２０側で複数の会員番号の中から任意の配信条件で選択された選択会員番号と該選択会員番号に配信する電子メールとが発生すると、配信電子メール取得手段Ｐ１４が選択会員番号と電子メールを管理装置２０から通信手段１６を介して取得する。そして、配信手段Ｐ１５は取得した選択会員番号に一致する会員番号を有する識別情報を特定し、該特定した識別情報に対応する電子メール記憶手段Ｄ１２に前記取得した電子メールを記憶することで、配信対象の電子メール記憶手段Ｄ１２にのみ電子メールが配信される。そして、会員の端末装置から識別情報が指定されると、電子メール送信手段Ｐ１６が当該指定された識別情報に対応した電子メール記憶手段Ｄ１２を特定し、該電子メール記憶手段Ｄ１２が記憶している前記電子メールを会員の端末装置に対して送信する。
【００１０】
上記課題を解決するためになされた請求項２に記載の本発明の電子メール配信装置は、図１の基本構成図に示すように、請求項１に記載の電子メール配信装置１０において、前記電子メール記憶手段Ｄ１２に記憶している前記電子メールを転送する前記会員が指定した転送先メールアドレスと前記識別データを前記管理装置２０から取得し、該取得した識別データに対応した前記識別情報を前記識別情報記憶手段Ｄ１１から抽出し、該抽出した識別情報に前記取得した転送先メールアドレスを設定する転送先メールアドレス取得手段Ｐ１７と、前記電子メール記憶手段Ｄ１２に記憶している前記電子メールを前記識別情報に設定されている前記転送先メールアドレスに転送する転送手段Ｐ１８と、を有することを特徴とする。
【００１１】
上記請求項２に記載した本発明の電子メール配信装置によれば、転送先メールアドレス取得手段Ｐ１７が電子メール記憶手段Ｄ１２に記憶している電子メールを会員に転送する転送先メールアドレスを、管理装置２０から通信手段１６を介して取得して識別情報に設定すると、転送手段Ｐ１８が電子メール記憶手段Ｄ１２に記憶している電子メールを転送先メールアドレスに転送する。
【００１２】
上記課題を解決するためになされた請求項３に記載の本発明の電子メール配信装置は、図１の基本構成図に示すように、請求項２に記載の電子メール配信装置１０において、前記配信電子メール取得手段Ｐ１４が取得した前記選択会員番号に配信する前記電子メールを前記電子メール送信手段が送信又は前記転送手段が転送した結果を示すログ情報を記憶するログ情報記憶手段Ｄ１３を有することを特徴とする。
【００１３】
上記請求項３に記載した本発明の電子メール配信装置によれば、配信電子メール取得手段Ｐ１４が選択会員番号と電子メールを取得して配信手段Ｐ１５によって配信されると、選択会員番号に対する配信結果を示すログ情報がログ情報記憶手段Ｄ１３に記憶される。
【００１４】
上記課題を解決するためになされた請求項４に記載の本発明の電子メール配信装置は、図１の基本構成図に示すように、請求項３に記載の電子メール配信装置１０において、前記ログ情報記憶手段Ｄ１３が記憶しているログ情報を、前記管理装置からログ転送要求を取得したときに前記管理装置に送信するログ情報送信手段Ｐ１９を有することを特徴とする
【００１５】
上記請求項４に記載した本発明の電子メール配信装置によれば、ログ情報記憶手段Ｄ１３に記憶しているログ情報は、ログ情報送信手段Ｐ１９によって管理装置２０に送信される。
【００１６】
上記課題を解決するためになされた請求項５に記載の本発明の電子メール配信システムは、図１の基本構成図に示すように、請求項１〜４のいずれか１項に記載の電子メール配信装置１０と、前記管理装置２０と、を有する電子メール配信システムであって、前記管理装置２０は、前記会員の会員番号を前記電子メール配信装置に出力する会員番号出力手段Ｐ２１と、前記複数の会員の中から任意の配信条件を満たす前記個人情報に対応した前記選択会員番号を選択し、前記選択会員番号と該選択会員番号に配信する前記電子メールを前記電子メール配信装置に出力する会員番号選択手段Ｐ２２と、を有することを特徴とする。
【００１７】
上記請求項５に記載した本発明の電子メール配信システムによれば、管理装置２０の会員番号出力手段Ｐ２１が会員番号を電子メール配信装置１０に対して出力すると、電子メール配信装置１０の会員番号取得手段Ｐ１１が通信手段１６を介して当該会員番号を取得する。電子メール配信装置１０の識別情報作成手段Ｐ１２が当該会員番号に対して一意的な識別データを割り振り、該割り振った識別データと前記取得した会員番号とを有する識別情報を作成すると、該識別情報が有する識別データに対応した電子メール記憶手段が設けられる。また、該作成した識別情報は、会員番号に関連付けられて識別情報記憶手段Ｄ１１に記憶されるとともに、通知手段Ｐ１３によって管理装置２０に通信手段１６を介して通知される。そして、管理装置２０の会員番号選択手段Ｐ２２が複数の会員番号の中から任意の配信条件で選択された選択会員番号と該選択会員番号に配信する電子メールと電子メール配信装置１０に出力すると、配信電子メール取得手段Ｐ１４が選択会員番号と電子メールを管理装置２０から通信手段１６を介して取得する。そして、配信手段Ｐ１５は取得した選択会員番号に一致する会員番号を有する識別情報を特定し、該特定した識別情報に対応する電子メール記憶手段Ｄ１２に前記取得した電子メールを記憶することで、配信対象の電子メール記憶手段Ｄ１２にのみ電子メールが配信される。そして、会員の端末装置から識別情報が指定されると、電子メール送信手段Ｐ１６が当該指定された識別情報に対応した電子メール記憶手段Ｄ１２を特定し、該電子メール記憶手段Ｄ１２が記憶している前記電子メールを会員の端末装置に対して送信する。
【００１８】
上記課題を解決するためになされた請求項６に記載の本発明の電子メール配信プログラムは、図１の基本構成図に示すように、登録した複数の会員の各々の個人情報と該会員を示す会員番号とを関連付けて管理する管理装置２０との間で通信手段１６を介した通信を行い、かつ、前記登録した複数の会員の中で配信対象となる会員の端末装置に電子メールを配信する電子メール配信装置１０のコンピュータを、前記管理装置２０から前記通信手段１６を介して前記会員の会員番号を取得する会員番号取得手段Ｐ１１、前記会員番号取得手段Ｐ１１が取得した会員番号の各々に一意的な識別データを割り振り、該割り振った識別データと前記取得した会員番号とを有する識別情報を作成する識別情報作成手段Ｐ１２、前記作成した識別情報を前記管理装置２０に前記通信手段１６を介して通知する通知手段Ｐ１３、前記管理装置２０側で前記複数の会員番号の中から選択された任意の配信条件を満たす前記個人情報に対応した選択会員番号と該選択会員番号に配信する前記電子メールとを、前記管理装置２０から前記通信手段１６を介して取得する配信電子メール取得手段Ｐ１４、前記取得した選択会員番号に一致する前記会員番号を有する前記識別情報を特定し、該特定した識別情報に対応して設けられた電子メール記憶手段Ｄ１２に前記取得した電子メールを記憶する配信手段Ｐ１５、前記会員の端末装置から取得した前記識別データが示す前記識別情報に対応した前記電子メール記憶手段Ｄ１２を特定し、該電子メール記憶手段Ｄ１２が記憶している前記電子メールを前記会員の端末装置に対して送信する電子メール送信手段Ｐ１６、として機能させるための電子メール配信プログラムである。
【００１９】
上記請求項６に記載した本発明の電子メール配信プログラムによれば、電子メール配信装置１０のコンピュータは、通信手段１６を介して管理装置２０から会員番号を取得すると、当該会員番号に対して一意的な識別データを割り振り、該割り振った識別データと前記取得した会員番号とを有する識別情報を作成すると、該識別情報が有する識別データに対応した電子メール記憶手段が設けられる。また、該作成した識別情報は、会員番号に関連付けられて識別情報記憶手段Ｄ１１に記憶されるとともに、管理装置２０に通信手段１６を介して通知される。そして、管理装置２０側で複数の会員番号の中から任意の配信条件で選択された選択会員番号と該選択会員番号に配信する電子メールとが発生すると、コンピュータは選択会員番号と電子メールを管理装置２０から通信手段１６を介して取得する。そして、コンピュータは取得した選択会員番号に一致する会員番号を有する識別情報を特定し、該特定した識別情報に対応する電子メール記憶手段Ｄ１２に前記取得した電子メールを記憶することで、配信対象の電子メール記憶手段Ｄ１２にのみ電子メールを配信する。そして、会員の端末装置から識別情報が指定されると、コンピュータは当該指定された識別情報に対応した電子メール記憶手段Ｄ１２を特定し、該電子メール記憶手段Ｄ１２が記憶している前記電子メールを会員の端末装置に対して送信する。
【発明の効果】
【００２０】
以上説明したように請求項１、５、６記載の本発明によれば、登録した複数の会員の中で配信対象となる会員に電子メールを配信する際、管理装置から会員の会員番号を取得して当該会員番号の各々に対応する識別情報を作成し、当該識別情報の各々に対応するメール記憶手段を設け、前記管理装置から選択された選択会員番号に対応したメール受信記憶手段に電子メールを記憶することで、電子メールを配信するようにしたことから、電子メールの配信側で会員の個人情報を持たずに、配信対象となる会員に確実に電子メールを配信することができるため、電子メールの配信を他の企業などに委託することができる。さらに、電子メールの配信側で個人情報を持つ必要がないので、会員の個人情報の不用意な流出や個人情報の不正利用を防ぐことができると共に、セキュリティを向上させることができる。
【００２１】
また、電子メールの配信を他の企業などに委託する際、会員の個人情報を第３者に開示する必要がなくなり、個人情報の漏洩を防止することができる。また、会員番号のみで管理することができるので、システムのメンテナンスコストを最小限に抑えることが可能である。
【００２２】
また、複数の会員の各々に一対一に対応した電子メール記憶手段を設けていることから、配信する電子メールを配信対象の電子メール記憶手段に配信することができるため、メールアドレスを個人情報として登録していない会員に対しても電子メールで情報を配信することができる。さらに、識別情報に一対一に対応した電子メール記憶手段に記憶している電子メールを会員に送信するので、会員個人のメールアドレスに電子メールが直接配信されることがなく、会員の個人情報を登録しなくても、会員が必要な電子メールを得ることができる。
【００２３】
請求項２記載の本発明によれば、管理装置から取得した転送先メールアドレスが識別情報に設定されると、電子メール記憶手段に記憶している電子メールをその転送先メールアドレスに転送するようにしたことから、メールアドレス以外の会員の個人情報を持たずに会員が利用しているメールアドレスに転送することができると共に、より高い確率で会員に配信した電子メールを見てもらうことが可能となる。
【００２４】
請求項３記載の本発明によれば、選択会員番号に対する電子メールの配信結果を示すログ情報を記憶するようにしたことから、例えば情報提供者側、管理装置側、等がログ情報を参照することで、配信条件によって選択した会員に電子メールが配信されたかを確認することができる。
【００２５】
請求項４記載の本発明によれば、ログ情報記憶手段に記憶しているログ情報を予め定めた送信先に送信するようにしたことから、送信先を情報提供者側、管理装置側、等と設定することで、情報提供者側、管理装置側、等は受信したログ情報に基づいて、情報提供者（情報送信者）が、どの会員に配信したかを確認することができると共に、そのログ情報で配信履歴等を管理することが可能である。
【図面の簡単な説明】
【００２６】
【図１】電子メール配信装置、管理装置、および、電子メール配信システムの基本構成を示す構成図である。
【図２】電子メール配信装置、管理装置、および、電子メール配信システムのシステム概略構成を示すシステム構成図である。
【図３】図２中の電子メール配信装置および管理装置の基本構成の一例を示す構成図である。
【図４】管理装置で用いられる個人情報データベースのテーブルを示す図である。
【図５】本発明の電子メール配信装置の一実施形態に用いられる識別情報データベースのテーブルを示す図である。
【図６】識別情報と電子メール記憶手段との関係を説明するための図である。
【図７】本発明の電子メール配信装置の一実施形態に用いられるログ情報データベースのテーブルを示す図である。
【図８】図３中の電子メール配信装置および管理装置の各ＣＰＵが会員登録時に実行する処理概要の一例を示すフローチャートである。
【図９】図３中の電子メール配信装置および管理装置の各ＣＰＵが配信依頼発生時に実行する処理概要の一例を示すフローチャートである。
【図１０】図３中の電子メール配信処理のＣＰＵが実行するメール出力処理の一例を示すフローチャートである。
【図１１】図３中の電子メール配信装置および管理装置の各ＣＰＵが会員登録時に実行する処理概要の一例を示すフローチャートである。
【符号の説明】
【００２７】
１    電子メール配信システム
１０  電子メール配信装置
１６  通信手段
２０  管理装置
Ｐ１１  会員番号取得手段
Ｐ１２  識別情報作成手段
Ｐ１３  通知手段
Ｐ１４  配信電子メール取得手段
Ｐ１５  配信手段
Ｐ１６  電子メール送信手段
Ｐ１７  転送先メールアドレス取得手段
Ｐ１８  転送手段
Ｐ１９  ログ情報送信手段
Ｐ２１  会員番号出力手段
Ｐ２２  会員番号選択手段
Ｄ１  個人情報
Ｄ２  識別情報
Ｄ３  ログ情報
Ｄ１１  識別情報記憶手段
Ｄ１２  電子メール記憶手段
【発明を実施するための最良の形態】
【００２８】
以下、上述した本発明の電子メール配信装置、電子メール配信システム、および、電子メール配信プログラムを、図１乃至図１１の図面を参照して説明する。
【００２９】
図２に示すように、電子メール配信システム１は、電子メールを配信する会社等に設けられる電子メール配信装置１０と、登録した複数の会員Ａ〜Ｎの各々の個人情報を管理する会社等に設けられる管理装置２０と、を有している。
【００３０】
電子メール配信装置１０および管理装置２０は、インターネット３を介して通信可能にそれぞれ接続されていて、各種データの送受信が可能な構成となっている。該インターネット３には、複数の会員Ａ〜Ｎの各々が用いる例えば、パーソナル・コンピュータ、携帯電話機、等の各種端末装置７０が電気的に接続されており、電子メール配信装置１０と管理装置２０と端末装置７０との間で通信可能な構成となっている。なお、電子メール配信装置１０および管理装置２０の通信方法は、直接接続で無線／有線による通信を行うことも可能である。本実施形態では、インターネット３を介した通信を行う場合について説明するが、本発明はこれに限定するものではなく、各種通信網を介した通信とすることもできる。
【００３１】
まず、管理装置２０について以下に説明する。管理装置２０は、通信装置を有するコンピュータが用いられる。図３に示すように、管理装置２０は、予め定めたプログラムに従って装置全体の動作の制御などを行う中央演算装置（ＣＰＵ）２１を有している。このＣＰＵ２１には、バスＢを介してＣＰＵ２１のためのプログラム等を格納した読み出し専用のメモリであるＲＯＭ２２、ＣＰＵ２１の処理作業に必要な各種データを格納する作業エリア等を有する読み出し書き込み自在のメモリであるＲＡＭ２３、が接続されている。
【００３２】
また、ＣＰＵ２１には、記憶装置２４がバスＢを介して接続されており、この記憶装置２４にはハードディスク装置や大容量のメモリなどが用いられる。記憶装置２４は、個人情報Ｄ１を管理するプログラムＰ２等の各種プログラムや、会員の会員番号と該会員の個人情報Ｄ１とを一対一に関連付けて格納する個人情報データベース（ＤＢ）４０等の各種情報を記憶している。
【００３３】
個人情報Ｄ１は、登録された複数の会員を管理する会社側でのみ管理される情報となっている。個人情報Ｄ１は、図４に示すように、会員を一意に識別する例えば会員番号、氏名、年齢、性別、住所、メールアドレスなどの会員の個人的なデータを有して構成している。
【００３４】
また、記憶装置１４に記憶している個人情報Ｄ１を管理するためのプログラムＰ２が、ＣＰＵ２１によって実行されることにより、会員の会員番号を電子メール配信装置１０に出力する会員番号出力手段Ｐ２１、複数の会員の中から任意の配信条件で前記選択会員番号を選択し、選択会員番号と該選択会員番号に配信する電子メールを電子メール配信装置１０に出力する会員番号選択手段Ｐ２２、等の各種手段としてＣＰＵ２１が機能する。
【００３５】
なお、本実施形態では、管理装置２０における記憶装置２４に個人情報Ｄ１を記憶している場合について説明するが、本発明はこれに限定するものではなく、例えば、管理装置２０がネットワークを介して読み出し可能であれば、他のパソコンのハードディスク装置等に記憶した個人情報に基づいて、会員に電子メールを配信することができる。
【００３６】
また、上述したＣＰＵ２１には、図３に示すように、入力装置２５、通信装置２６、表示装置２７等がバスＢを介して接続されている。入力装置２５は、キーボード、マウス等を有しており、入力装置２５から入力された各種入力データは、バスＢを介してＣＰＵ２１に出力される。
【００３７】
通信装置２６は、ＬＡＮカード、携帯電話用モデム等の設置環境に適した通信機器を用いており、通信手段として機能している。そして、通信装置２６は、受信した情報をＣＰＵ２１に出力すると共に、インターネット３を介して、ＣＰＵ２１から入力された情報を指示された送信先に送信する。
【００３８】
表示装置２７は、公知である液晶ディスプレイ、ＣＲＴ等の各種表示器が用いられる。そして、表示装置２７は、ＣＰＵ２１からの指示に基づいて各種表示を行う。
【００３９】
次に、電子メール配信装置１０について以下に説明する。電子メール配信装置１０は、上述した管理装置２０と同様に、通信装置を有するコンピュータが用いられ、図３に示すＣＰＵ１１、ＲＯＭ１２、ＲＡＭ１３、記憶装置１４、入力装置１５、請求項中の通信手段に相当する通信装置１６、表示装置１７等を有して構成している。したがって、前述した管理装置２０と同一の構成部分に関しては説明を省略し、異なる部分のみを以下に説明する。
【００４０】
電子メール配信装置１０における記憶装置１４は、図２中の電子メール配信プログラムＰ１等の各種プログラムや、識別情報Ｄ２を格納する識別情報データベース（ＤＢ）５０、電子メールの配信結果を示すログ情報Ｄ３を格納するログ情報データベース（ＤＢ）６０等の各種情報等を記憶している。なお、電子メール配信プログラムＰ１等は、インターネットを介してダウンロードされたり、ＣＤ−ＲＯＭ等の記憶媒体からインストールされたりして記憶装置１４に記憶される。また、本実施形態では、識別情報Ｄ２およびログ情報Ｄ３を別々のデータベースとして格納したが、本発明はこれに限定するものではなく、識別情報Ｄ２およびログ情報Ｄ３を１つのデータベースに格納することもできる。
【００４１】
識別情報Ｄ２は、請求項中の識別情報に相当し、図５に示すように、管理装置２０から取得する会員番号と、該会員番号に対応して割り振られたＩＤと、該ＩＤの各々に対応して割り振られたメールアドレスと、そのパスワードと、会員等から指定された転送先メールアドレスと、を有して構成している。本実施形態では、複数の会員の各々に対して割り振ったＩＤと、メールアドレスと、そのパスワードと、を有する識別情報Ｄ２としているが、本発明はこれに限定するものではなく、会員番号を一意的に識別できる情報であればよい。ゆえに、識別情報Ｄ２を会員番号の各々に対応するＩＤのみ、または、会員番号の各々に対応するメールアドレスのみで構成することもできる。
【００４２】
また、識別情報Ｄ２のＩＤは、管理装置２０から会員番号を取得したときに、例えば、発生させた乱数等に基づいて作成した一意的な番号、予め定められた未選択状態の複数の番号の中から選択した番号、等が電子メール配信装置１０によって割り振られる。そして、識別情報Ｄ２のメールアドレスは、電子メール配信装置１０等で予め用意した複数の未使用状態のメールアドレスの中から１つのメールアドレスが割り当てられる。そして、識別情報Ｄ２のパスワードは、電子メール配信装置２０によって例えば４文字等のパスワードが生成されて設定される。そして、本実施形態では、会員等から選択された転送先メールアドレスが設定可能としており、会員によって設定されていない場合は、ＮＵＬＬが設定される。
【００４３】
また、本実施形態では、ＩＤを文字列と数字とで作成したが、本発明はこれに限定するものではなく、会員番号に対して識別できる情報であれば文字列のみ、または、数字のみで作成することもできる。
【００４４】
ここで、上述した識別情報Ｄ２と該識別情報Ｄ２に対応する電子メール記憶手段Ｄ１２との関係の一例を図６を参照して以下に説明する。
【００４５】
図６において、複数の電子メール記憶手段Ｄ１２の各々は、識別情報Ｄ２に対応して一対一に設けられ、かつ、対応した識別情報Ｄ２の会員番号と一致した選択会員番号に配信する電子メールを記憶する。即ち、電子メール記憶手段Ｄ１２は、選択的に配信する電子メールを保管しておく記憶領域であり、一般的なメールボックスに相当している。なお、本実施形態では記憶装置１４の所定の記憶領域に複数の電子メール記憶手段Ｄ１２を割り当てている。そして、電子メール記憶手段Ｄ１２は、識別情報Ｄ２のメールアドレス等によって導き出される記憶装置１４の所定の記憶領域となっており、管理装置２０側で選択された会員番号に配信される電子メールが時系列的に記憶される。
【００４６】
電子メール配信装置１０は、電子メールのアプリケーション・ソフトウェアをＣＰＵ１１が実行することで、電子メール記憶手段Ｄ１２の各々に記憶している複数の電子メールの一覧を表示する機能、会員等から要求された電子メールを当該要求元に送信する機能、等を有する。
【００４７】
図２に示す複数の会員Ａ〜Ｎが管理装置２０に会員登録されると、電子メール配信装置１０は、図６に示すように、管理装置２０から取得した会員Ａ〜Ｎの会員番号の各々に対応した識別情報Ｄ２ａ〜ｎを作成して識別情報ＤＢ５０に格納（登録）する。例えば、会員Ａさんに対しては、識別情報Ｄ２ａの会員番号に“１０１”、ＩＤに“Ａ００１”、メールアドレスに“Ｂ００１＠ｘｘｘｘ．ｃｏｍ”、パスワードに初期パスワードである“ＸＸＸＸ”、転送先メールアドレスに“アドレス００１”がそれぞれ設定されて識別情報Ｄ２ａを電子メール配信装置１０は作成する。同様に、電子メール配信装置１０は会員Ｂ〜Ｎさんに対する識別情報Ｄ２ｂ〜ｎを作成する。
【００４８】
そして、電子メール配信装置１０は、当該作成した識別情報Ｄ２ａ〜ｎの各々に対応した電子メール記憶手段Ｄ１２ａ〜ｎを記憶装置１４に割り当てる。そして、本実施形態では、識別情報Ｄ２のメールアドレスが前記電子メール記憶手段Ｄ１２の先頭アドレスを指示するように構成している。なお、電子メール記憶手段Ｄ１２ａ〜ｎについては、電子メール配信装置１０の外部の記憶装置や電子メール配信装置１０が接続可能なネットワーク上のパーソナル・コンピュータの記憶装置等とすることもできる。
【００４９】
ログ情報Ｄ３は、図６に示すように、配信情報の配信対象となる会員に対応したＩＤ、該ＩＤに対する配信結果、等の各種データを有して構成している。なお、配信結果としては、配信情報を有する電子メールを複数の電子メール記憶手段Ｄ１２に対して記憶（配信）したか否かを配信結果としたり、電子メール記憶手段Ｄ１２に記憶した電子メールを会員が参照したか否かを配信結果としたり、その双方の結果を段階的な配信結果とするなど、システムの仕様に応じて任意に定めることができる。
【００５０】
図２に示す電子メール配信プログラムＰ１は、登録した複数の会員の各々の個人情報と該会員を示す会員番号とを関連付けて管理する管理装置２０との間で通信手段１６を介した通信を行い、かつ、前記登録した複数の会員の中で配信対象となる会員の端末装置７０に電子メールを配信する電子メール配信装置１０のＣＰＵ（コンピュータ）１１を、前記管理装置２０から前記通信手段１６を介して前記会員の会員番号を取得する会員番号取得手段Ｐ１１、前記会員番号取得手段Ｐ１１が取得した会員番号の各々に一意的な識別データを割り振り、該割り振った識別データと前記取得した会員番号とを有する識別情報を作成する識別情報作成手段Ｐ１２、前記作成した識別情報を前記管理装置２０に前記通信手段１６を介して通知する通知手段Ｐ１３、前記管理装置２０側で前記複数の会員番号の中から任意の配信条件で選択された選択会員番号と該選択会員番号に配信する前記電子メールとを、前記管理装置２０から前記通信手段１６を介して取得する配信電子メール取得手段Ｐ１４、前記取得した選択会員番号に一致する前記会員番号を有する前記識別情報を特定し、該特定した識別情報に対応して設けられた電子メール記憶手段Ｄ１２に前記取得した電子メールを記憶する配信手段Ｐ１５、前記会員の端末装置から取得した前記識別データが示す前記識別情報に対応した前記電子メール記憶手段Ｄ１２を特定し、該電子メール記憶手段Ｄ１２が記憶している前記電子メールを前記会員の端末装置に対して送信する電子メール送信手段Ｐ１６、として機能させるための電子メール配信プログラムとなっている。そして、ＣＰＵ１１は電子メール配信プログラムＰ１を実行することで、上述した各種手段として機能することになる。
【００５１】
次に、上述したＣＰＵ２１が上述した管理装置２０のプログラムＰ２を実行したときの処理、および、上述したＣＰＵ１１が上述した電子メール配信装置１０の電子メール配信プログラムＰ１を実行したときの電子メール配信処理の一例を、図８乃至図１１のフローチャートを参照して以下に説明する。
【００５２】
なお、本実施形態では、上述した電子メール配信システム１において、音楽配信会社等に登録した複数の会員Ａ〜Ｎの個人情報Ｄ１に基づいて、複数の会員Ａ〜Ｎの中から管理装置２０で選択された選択会員番号の会員に電子メールを配信する場合について説明する。
【００５３】
（会員登録時）
まず、管理装置２０に新たな会員が登録されたときに、管理装置２０のＣＰＵ２１と電子メール配信装置１０のＣＰＵ１１が実行する処理概要の一例を、図８の図面を参照して以下に説明する。
【００５４】
まず、管理装置２０は、ステップＴ１０１において、個人情報ＤＢ４０から配信対象として新たに登録する会員番号を取得し、ステップＴ１０２（会員番号出力手段に相当）において、取得した会員番号を電子メール配信装置１０に通信装置２６を介して出力する。なお、会員番号の取得方法の一例としては、予め定められた電子登録台帳等を用いて会員番号を割り振る方法等が用いられる。
【００５５】
一方、電子メール配信装置１０は、ステップＳ１１（会員番号取得手段Ｐ１１に相当）において、通信装置１６を介して管理装置２０が出力した会員番号を取得（受信）し、その後ステップＳ１２の処理に進む。なお、会員番号の取得方法としては、取り外し可能な記憶媒体に管理装置２０が複数の会員番号を記憶し、電子メール配信装置１０が該記憶媒体から会員番号を読み取って取得するなど種々異なる実施形態とすることができる。
【００５６】
電子メール配信装置１０は、ステップＳ１２（識別情報作成手段Ｐ１２に相当）において、該取得した会員番号に対応した識別情報を作成し、その後ステップＳ１３の処理に進む。詳細には、前記取得した会員番号の各々に一意的なＩＤ（識別データ）とメールアドレスとパスワードとを割り振り、取得した会員番号とＩＤとメールアドレスとパスワードとを有する識別情報Ｄ２（図５参照）を作成し、該識別情報Ｄ２に対応した電子メールを記憶する前記電子メール記憶手段Ｄ１２が図６に示すように設けられる。
【００５７】
電子メール配信装置１０は、ステップＳ１３において、ステップＳ１２で作成した識別情報Ｄ２を会員番号に関連付けて識別情報ＤＢ５０に記憶し、ステップＳ１４（通知手段Ｐ１３に相当）において、識別情報を管理装置２０に通信装置１６を介して出力（送信）することで管理装置２０等に通知し、その後処理を終了する。
【００５８】
一方、管理装置２０は、ステップＴ１０３において、通信装置２６を介して管理装置２０が出力した会員番号を取得（受信）すると、ステップＴ１０４において、該取得した識別情報を、識別情報の会員番号を参照して個人情報Ｄ１に関連付けて記憶装置２４等に記憶すると共に、該識別情報を有する電子メール等を作成して会員等に送信し、その後処理を終了する。
【００５９】
これらの処理により、会員は管理装置２０から通知された識別情報を参照することで、電子メール配信装置１０によって割り振られたＩＤとメールアドレスとパスワードを確認することができる。
【００６０】
また、管理装置２０は、会員から前記割り振られたＩＤとパスワードと転送先メールアドレスを取得すると、それらを電子メール配信装置１０に通信装置１４を介して出力する。すると、電子メール配信装置１０は、転送先メールアドレス取得手段Ｐ１７として機能して、通信装置１４を介して管理装置２０からＩＤ、パスワード、転送先メールアドレスを取得すると、ＩＤとパスワードに基づいて認証を行い、認証が成立したときに、ＩＤに対応した識別情報Ｄ２を識別情報ＤＢ５０から抽出し、該抽出した識別情報Ｄ２に転送先メールアドレスを設定する。
【００６１】
（配信依頼発生時）
次に、管理装置２０において配信情報の配信依頼が発生したときに、管理装置２０のＣＰＵ２１と電子メール配信装置１０のＣＰＵ１１が実行する処理概要の一例を、図９の図面を参照して以下に説明する。
【００６２】
管理装置２０は、ステップＴ１１１において、管理者、情報提供者、等によって任意の配信条件と配信情報を取得すると、ステップＴ１１２において、該配信条件と個人情報ＤＢ４０の複数の個人情報Ｄ１とを比較して、個人情報データベース４０から該配信条件を満たす個人情報Ｄ１を選択し、該選択した個人情報Ｄ１に対応した会員番号を選択会員番号として選択する。管理装置２０は、ステップＴ１１３において、ステップＴ１１２で選択した選択会員番号と前記配信情報を有する電子メールを電子メール配信装置１０に通信装置２６を介して出力して処理を終了する。
【００６３】
なお、配信条件とは、複数の会員の中から配信対象となる会員を選択するための選択情報であり、例えば、２０歳から４０歳までの女性、２０歳代の男女、等が配信条件として挙げられる。また、配信条件の入力方法は、例えば、専用の入力画面で入力させるなど種々異なる入力方法で行うことができる。
【００６４】
一方、電子メール配信装置１０は、ステップＳ２１（配信電子メール取得取得手段Ｐ１４に相当）において、通信装置１６を介して管理装置２０が出力した選択会員番号と前記電子メールを取得（受信）する。そして、電子メール配信装置１０は、ステップＳ２２（配信手段Ｐ１５に相当）において、前記取得した選択会員番号と識別情報ＤＢ５０の識別情報Ｄ２の会員番号とを比較し、前記取得した選択会員番号に一致する前記会員番号を有する識別情報Ｄ２を特定し、該特定した識別情報Ｄ２に対応する前記電子メール記憶手段Ｄ１２に前記取得した電子メールを追加して記憶する。そして、電子メール配信装置１０は、ステップＳ２３において、前記特定した識別情報Ｄ２のＩＤと前記電子メールの配信結果とを有するログ情報Ｄ３を作成し、該ログ情報Ｄ３をログ情報ＤＢ６０に前記電子メールに関連付けて記憶し、その後処理を終了する。
【００６５】
これらの処理により、複数の会員Ａ〜Ｎの中で前記配信条件を満たす会員に対応した前記電子メール記憶手段Ｄ１２にのみ、前記配信情報を有する電子メールが記憶されて配信され、また、前記配信条件を満たさない会員に対応した前記電子メール記憶手段Ｄ１２には前記電子メールは配信されない。
【００６６】
（電子メール送信時）
次に、会員からの電子メールの出力要求が発生したときに、電子メール配信装置１０のＣＰＵ１１が実行するメール出力処理の一例を、図１０のフローチャートを参照して以下に説明する。
【００６７】
電子メール配信装置１０は、通信装置１４を介して会員の端末装置等から出力要求の受信に応じてメール出力処理を実行すると、ステップＳ３１において、会員のＩＤとパスワードを前記会員の端末装置７０から通信装置１６を介して取得し、ステップＳ３２において、取得したＩＤとパスワードと識別情報ＤＢ５０に記憶している識別情報Ｄ２のＩＤとパスワードとを比較して会員の認証を行う。
【００６８】
電子メール配信装置１０は、ステップＳ３２において、その認証結果に基づいて認証されたか否かを判定する。認証されていないと判定した場合（Ｓ３２でＮ）、処理を終了する。一方、電子メール配信装置１０は、認証されたと判定した場合（Ｓ３２でＹ）、ステップＳ３３において、ＩＤに対応する電子メール記憶手段Ｄ１２に、電子メールが記憶されている場合はその電子メールを取得して、ステップＳ３４の処理に進む。なお、電子メールが電子メール記憶手段Ｄ１２に記憶されていない場合の処理は省略するが、例えば、その旨を会員に通知する処理を行う。
【００６９】
電子メール配信装置１０は、ステップＳ３４（電子メール送信手段Ｐ１６、転送手段Ｐ１８に相当）において、前記取得した電子メールを前記会員の端末装置７０に通信装置１６を介して送信し、また、前記識別情報Ｄ２に転送先メールアドレスが設定されている場合は、前記取得した電子メールを前記転送先メールアドレスに通信装置１６を介して転送する。そして、電子メール配信装置１０は、ステップＳ３５において、送信又は転送した電子メールに対応したログ情報Ｄ３に、その送信結果を反映して更新し、処理を終了する。
【００７０】
（ログ情報転送時）
次に、管理装置２０が電子メール配信装置１０にログ情報Ｄ３の転送を要求するときに、管理装置２０のＣＰＵ２１と電子メール配信装置１０のＣＰＵ１１が実行する処理概要の一例を、図１１の図面を参照して以下に説明する。
【００７１】
管理装置２０は、ステップＴ１３１において、管理者、情報提供者、等によって任意の配信情報を有する電子メールに対応するログ情報のログ転送要求が発生すると、通信装置２４を介して電子メール配信装置１０に該ログ転送要求を出力する。
【００７２】
一方、電子メール配信装置１０はステップＳ４１において、通信装置１６を介して管理装置２０からログ転送要求を取得すると、ステップＳ４２において、ログ転送要求に対応するログ情報Ｄ３がログ情報ＤＢ６０にあるか否かを判定する。電子メール配信装置１０は、ログ情報Ｄ３がないと判定した場合（Ｓ４２でＮ）、その結果を管理装置２０に通知した後に処理を終了する。一方、電子メール配信装置１０は、ログ情報Ｄ３があると判定した場合（Ｓ４２でＹ）、ステップＳ４３（ログ情報送信手段Ｐ１９に相当）において、ログ情報Ｄ３をログ情報ＤＢ６０から抽出し、該ログ情報Ｄ３を本実施形態の送信先である管理装置２０に通信装置１６を介して送信し、処理を終了する。なお、送信先は、任意に設定することができる。
【００７３】
一方、管理装置２０は、ステップＴ１３２において、通信装置２６を介して電子メール配信装置１０からログ情報Ｄ３を取得すると、ステップＴ１３３において、前記取得したログ情報Ｄ３を表示装置２７に出力して管理者、情報提供者、等に通知し、処理を終了する。
【００７４】
以上、説明した電子メール配信システム１および電子メール配信装置１０によれば、登録した複数の会員Ａ〜Ｎの中で配信対象となる会員に電子メールを配信する際、管理装置２０から会員の会員番号を取得して当該会員番号の各々に対応する識別情報Ｄ２を作成し、当該識別情報Ｄ２の各々に対応するメール記憶手段Ｄ１２を設け、前記管理装置２０から選択された選択会員番号に対応したメール受信記憶手段Ｄ１２に電子メールを記憶することで、電子メールを配信するようにしたことから、電子メールの配信側で会員の個人情報Ｄ１を持たずに、配信対象となる会員に確実に電子メールを配信することができるため、電子メールの配信を他の企業などに委託することができる。さらに、電子メールの配信側で個人情報Ｄ１を持つ必要がないので、会員の個人情報Ｄ１の不用意な流出や個人情報Ｄ１の不正利用を防ぐことができると共に、セキュリティを向上させることができる。
【００７５】
また、電子メールの配信を他の企業などに委託する際、会員の個人情報Ｄ１を第３者に開示する必要がなくなり、個人情報Ｄ１の漏洩を防止することができる。また、会員番号のみで管理することができるので、システムのメンテナンスコストを最小限に抑えることが可能である。
【００７６】
また、複数の会員の各々に一対一に対応した電子メール記憶手段Ｄ１２を設けていることから、配信する電子メールを配信対象の電子メール記憶手段Ｄ１２に配信することができるため、メールアドレスを個人情報Ｄ１として登録していない会員に対しても電子メールで情報を配信することができる。さらに、識別情報Ｄ２に一対一に対応した電子メール記憶手段Ｄ１２に記憶している電子メールを会員に送信するので、会員個人のメールアドレスに電子メールが直接配信されることがなく、会員の個人情報を登録しなくても、会員が必要な電子メールを得ることができる。
【００７７】
さらに、管理装置２０から取得した転送先メールアドレスが識別情報Ｄ２に設定されると、電子メール記憶手段Ｄ１２に記憶している電子メールをその転送先メールアドレスに転送するようにしたことから、メールアドレス以外の会員の個人情報Ｄ１を持たずに会員が利用しているメールアドレスに転送することができると共に、より高い確率で会員に配信した電子メールを見てもらうことが可能となる。
【００７８】
また、選択会員番号に対する電子メールの配信結果を示すログ情報Ｄ３を記憶するようにしたことから、例えば情報提供者側、管理装置側、等がログ情報Ｄ３を参照することで、配信条件によって選択した会員に電子メールが配信されたかを確認することができる。
【００７９】
さらに、ログ情報ＤＢ６０（ログ情報記憶手段）に記憶しているログ情報Ｄ３を予め定めた送信先に送信するようにしたことから、送信先を情報提供者側、管理装置２０側、等と設定することで、情報提供者側、管理装置２０側、等は受信したログ情報Ｄ３に基づいて、情報提供者（情報送信者）が、どの会員に配信したかを確認することができると共に、そのログ情報Ｄ３で配信履歴等を管理することが可能である。
【００８０】
このように上述した実施形態は本発明の代表的な形態を示したに過ぎず、本発明は、実施形態に限定されるものではない。即ち、本発明の骨子を逸脱しない範囲で種々変形して実施することができる。
【手続補正２】
【補正対象書類名】特許請求の範囲
【補正対象項目名】全文
【補正方法】変更
【補正の内容】
【特許請求の範囲】
【請求項１】
登録した複数の会員の各々の個人情報と該会員を示す会員番号とを関連付けて管理する管理装置との間で通信手段を介した通信を行い、かつ、前記登録した複数の会員の中で配信対象となる会員の端末装置に電子メールを配信する電子メール配信装置において、
前記管理装置から前記通信手段を介して前記会員の会員番号を取得する会員番号取得手段と、
前記会員番号取得手段が取得した会員番号の各々に一意的な識別データを割り振り、該割り振った識別データと前記取得した会員番号とを有する識別情報を作成する識別情報作成手段と、
前記識別情報が有する識別データに対応して設けられ、前記会員の端末装置に配信する前記電子メールを記憶する電子メール記憶手段と、
前記作成した識別情報を前記管理装置に前記通信手段を介して通知する通知手段と、
前記作成した識別情報を前記会員番号に関連付けて記憶する識別情報記憶手段と、
前記管理装置側で前記複数の会員番号の中から選択された任意の配信条件を満たす前記個人情報に対応した選択会員番号と該選択会員番号に配信する前記電子メールとを、前記管理装置から前記通信手段を介して取得する配信電子メール取得手段と、
前記取得した選択会員番号に一致する前記会員番号を有する前記識別情報を特定し、該特定した識別情報に対応する前記電子メール記憶手段に前記取得した電子メールを記憶する配信手段と、
前記会員の端末装置から取得した前記識別データが示す前記識別情報に対応した前記電子メール記憶手段を特定し、該電子メール記憶手段が記憶している前記電子メールを前記会員の端末装置に対して送信する電子メール送信手段と、
を有することを特徴とする電子メール配信装置。
【請求項２】
前記電子メール記憶手段に記憶している前記電子メールを転送する前記会員が指定した転送先メールアドレスと前記識別データを前記管理装置から取得し、該取得した識別データに対応した前記識別情報を前記識別情報記憶手段から抽出し、該抽出した識別情報に前記取得した転送先メールアドレスを設定する転送先メールアドレス取得手段と、
前記電子メール記憶手段に記憶している前記電子メールを前記識別情報に設定されている前記転送先メールアドレスに転送する転送手段と、
を有することを特徴とする請求項１に記載の電子メール配信装置。
【請求項３】
前記配信電子メール取得手段が取得した前記選択会員番号に配信する前記電子メールを前記電子メール送信手段が送信又は前記転送手段が転送した結果を示すログ情報を記憶するログ情報記憶手段を有することを特徴とする請求項２に記載の電子メール配信装置。
【請求項４】
前記ログ情報記憶手段が記憶しているログ情報を、前記管理装置からログ転送要求を取得したときに前記管理装置に送信するログ情報送信手段を有することを特徴とする請求項３に記載の電子メール配信装置。
【請求項５】
請求項１〜４のいずれか１項に記載の電子メール配信装置と、前記管理装置と、を有する電子メール配信システムであって、
前記管理装置は、前記会員の会員番号を前記電子メール配信装置に出力する会員番号出力手段と、前記複数の会員の中から任意の配信条件を満たす前記個人情報に対応した前記選択会員番号を選択し、前記選択会員番号と該選択会員番号に配信する前記電子メールを前記電子メール配信装置に出力する会員番号選択手段と、を有することを特徴とする電子メール配信システム。
【請求項６】
登録した複数の会員の各々の個人情報と該会員を示す会員番号とを関連付けて管理する管理装置との間で通信手段を介した通信を行い、かつ、前記登録した複数の会員の中で配信対象となる会員の端末装置に電子メールを配信する電子メール配信装置のコンピュータを、
前記管理装置から前記通信手段を介して前記会員の会員番号を取得する会員番号取得手段、
前記会員番号取得手段が取得した会員番号の各々に一意的な識別データを割り振り、該割り振った識別データと前記取得した会員番号とを有する識別情報を作成する識別情報作成手段、
前記作成した識別情報を前記管理装置に前記通信手段を介して通知する通知手段、
前記管理装置側で前記複数の会員番号の中から選択された任意の配信条件を満たす前記個人情報に対応した選択会員番号と該選択会員番号に配信する前記電子メールとを、前記管理装置から前記通信手段を介して取得する配信電子メール取得手段、
前記取得した選択会員番号に一致する前記会員番号を有する前記識別情報を特定し、該特定した識別情報に対応して設けられた電子メール記憶手段に前記取得した電子メールを記憶する配信手段、
前記会員の端末装置から取得した前記識別データが示す前記識別情報に対応した前記電子メール記憶手段を特定し、該電子メール記憶手段が記憶している前記電子メールを前記会員の端末装置に対して送信する電子メール送信手段、
として機能させるための電子メール配信プログラム。
【手続補正書】
【提出日】平成22年9月14日(2010.9.14)
【手続補正２】
【補正対象書類名】明細書
【補正対象項目名】０００１
【補正方法】変更
【補正の内容】
【０００１】
本発明は、登録した複数の会員の中で配信対象となる会員に電子メールを配信する電子メール配信システムに関する。
【手続補正３】
【補正対象書類名】明細書
【補正対象項目名】０００７
【補正方法】変更
【補正の内容】
【０００７】
そこで、本発明は、上記のような問題点に着目し、会員の個人情報を持たずに任意の配信条件で選択された会員に対して、当該会員の一意の会員番号だけで確実に電子メールを配信する電子メール配信システムを提供することを課題とする。
【手続補正４】
【補正対象書類名】明細書
【補正対象項目名】０００８
【補正方法】変更
【補正の内容】
【０００８】
上記課題を解決するためになされた請求項１に記載の本発明の電子メール配信システムは、図１の基本構成図に示すように、登録した複数の会員の各々の個人情報と該会員を示す会員番号とを関連付けて管理する管理装置２０と、前記管理装置２０との間で通信手段１６を介した通信を行い且つ前記登録した複数の会員の中で配信対象となる会員の端末装置に電子メールを配信する電子メール配信装置１０と、前記会員の端末装置と、を有する電子メール配信システムであって、前記電子メール配信装置１０は、前記管理装置２０から前記通信手段１６を介して前記会員の会員番号を取得する会員番号取得手段Ｐ１１と、前記会員番号取得手段Ｐ１１が取得した会員番号の各々に一意的な識別データを割り振り、該割り振った識別データと前記取得した会員番号とを有する識別情報を作成する識別情報作成手段Ｐ１２と、前記識別情報が有する識別データに対応して設けられ、前記会員の端末装置に配信する前記電子メールを記憶する複数の電子メール記憶手段Ｄ１２と、前記作成した識別情報を前記管理装置に前記通信手段を介して通知する通知手段Ｐ１３と、前記作成した識別情報を複数記憶する識別情報記憶手段Ｄ１１と、前記管理装置２０側で前記複数の会員番号の中から選択された任意の配信条件を満たす前記個人情報に対応した選択会員番号と該選択会員番号に配信する前記電子メールとを、前記管理装置２０から前記通信手段１６を介して取得する配信電子メール取得手段Ｐ１４と、前記取得した選択会員番号に一致する前記会員番号を有する前記識別情報を特定し、該特定した識別情報に対応する前記電子メール記憶手段Ｄ１２に前記取得した電子メールを記憶する記憶制御手段Ｐ１５と、前記会員の端末装置から取得した前記識別データが示す前記識別情報に対応した前記電子メール記憶手段Ｄ１２を複数の電子メール記憶手段の中から特定し、該電子メール記憶手段Ｄ１２が記憶している前記電子メールを前記会員の端末装置に対して送信する電子メール送信手段Ｐ１６と、を有することを特徴とする。
【手続補正５】
【補正対象書類名】明細書
【補正対象項目名】０００９
【補正方法】変更
【補正の内容】
【０００９】
上記請求項１に記載した本発明の電子メール配信システムによれば、管理装置２０の会員番号出力手段Ｐ２１が会員番号を電子メール配信装置１０に対して出力する。電子メール配信装置１０の会員番号取得手段Ｐ１１が通信手段１６を介して管理装置２０から会員番号を取得すると、識別情報作成手段Ｐ１２が当該会員番号に対して一意的な識別データを割り振り、該割り振った識別データと前記取得した会員番号とを有する識別情報を作成すると、該識別情報が有する識別データに対応した電子メール記憶手段が設けられる。また、該作成した識別情報は、会員番号に関連付けられて識別情報記憶手段Ｄ１１に記憶されるとともに、通知手段Ｐ１３によって管理装置２０に通信手段１６を介して通知される。そして、管理装置２０の会員番号選択手段Ｐ２２が複数の会員番号の中から任意の配信条件で選択された選択会員番号と該選択会員番号に配信する電子メールと電子メール配信装置１０に出力する。配信電子メール取得手段Ｐ１４が選択会員番号と電子メールを管理装置２０から通信手段１６を介して取得する。そして、記憶制御手段Ｐ１５は取得した選択会員番号に一致する会員番号を有する識別情報を特定し、該特定した識別情報に対応する電子メール記憶手段Ｄ１２に前記取得した電子メールを記憶することで、配信対象の電子メール記憶手段Ｄ１２にのみ電子メールが配信される。そして、会員の端末装置から識別情報が指定されると、電子メール送信手段Ｐ１６が当該指定された識別情報に対応した電子メール記憶手段Ｄ１２を複数の電子メール記憶手段Ｄ１２の中から特定し、該電子メール記憶手段Ｄ１２が記憶している前記電子メールを会員の端末装置に対して送信する。
【手続補正６】
【補正対象書類名】明細書
【補正対象項目名】００１０
【補正方法】変更
【補正の内容】
【００１０】
上記課題を解決するためになされた請求項２に記載の本発明の電子メール配信システムは、図１の基本構成図に示すように、請求項１に記載の電子メール配信システムにおいて、前記電子メール配信装置１０は、記電子メール記憶手段Ｄ１２に記憶している前記電子メールを転送する前記会員が指定した転送先メールアドレスと前記識別データを前記管理装置２０から取得し、該取得した識別データに対応した前記識別情報を前記識別情報記憶手段Ｄ１１から抽出し、該抽出した識別情報に前記取得した転送先メールアドレスを設定する転送先メールアドレス取得手段Ｐ１７と、前記電子メール記憶手段Ｄ１２に記憶している前記電子メールを前記識別情報に設定されている前記転送先メールアドレスに転送する転送手段Ｐ１８と、を有することを特徴とする。
【手続補正７】
【補正対象書類名】明細書
【補正対象項目名】００１１
【補正方法】変更
【補正の内容】
【００１１】
上記請求項２に記載した本発明の電子メール配信システムによれば、転送先メールアドレス取得手段Ｐ１７が電子メール記憶手段Ｄ１２に記憶している電子メールを会員に転送する転送先メールアドレスを、管理装置２０から通信手段１６を介して取得して識別情報に設定すると、転送手段Ｐ１８が電子メール記憶手段Ｄ１２に記憶している電子メールを転送先メールアドレスに転送する。
【手続補正８】
【補正対象書類名】明細書
【補正対象項目名】００１２
【補正方法】変更
【補正の内容】
【００１２】
上記課題を解決するためになされた請求項３に記載の本発明の電子メール配信システムは、図１の基本構成図に示すように、請求項２に記載の電子メール配信システムにおいて、電子メール配信装置１０は、前記配信電子メール取得手段Ｐ１４が取得した前記選択会員番号に配信する前記電子メールを前記電子メール送信手段が送信又は前記転送手段が転送した結果を示すログ情報を記憶するログ情報記憶手段Ｄ１３を有することを特徴とする。
【手続補正９】
【補正対象書類名】明細書
【補正対象項目名】００１３
【補正方法】変更
【補正の内容】
【００１３】
上記請求項３に記載した本発明の電子メール配信システムによれば、配信電子メール取得手段Ｐ１４が選択会員番号と電子メールを取得して記憶制御手段Ｐ１５によって電子メール記憶手段Ｄ１２に記憶されると、選択会員番号に対する配信結果を示すログ情報がログ情報記憶手段Ｄ１３に記憶される。
【手続補正１０】
【補正対象書類名】明細書
【補正対象項目名】００１４
【補正方法】変更
【補正の内容】
【００１４】
上記課題を解決するためになされた請求項４に記載の本発明の電子メール配信システムは、図１の基本構成図に示すように、請求項３に記載の電子メール配信システムにおいて、前記電子メール配信装置１０は、前記ログ情報記憶手段Ｄ１３が記憶しているログ情報を、前記管理装置からログ転送要求を取得したときに前記管理装置に送信するログ情報送信手段Ｐ１９を有することを特徴とする。
【手続補正１１】
【補正対象書類名】明細書
【補正対象項目名】００１５
【補正方法】変更
【補正の内容】
【００１５】
上記請求項４に記載した本発明の電子メール配信システムによれば、ログ情報記憶手段Ｄ１３に記憶しているログ情報は、ログ情報送信手段Ｐ１９によって管理装置２０に送信される。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
以上説明したように請求項１記載の本発明によれば、登録した複数の会員の中で配信対象となる会員に電子メールを配信する際、管理装置から会員の会員番号を取得して当該会員番号の各々に対応する識別情報を作成し、当該識別情報の各々に対応するメール記憶手段を設け、前記管理装置から選択された選択会員番号に対応したメール受信記憶手段に電子メールを記憶することで、電子メールを配信するようにしたことから、電子メールの配信側で会員の個人情報を持たずに、配信対象となる会員に確実に電子メールを配信することができるため、電子メールの配信を他の企業などに委託することができる。さらに、電子メールの配信側で個人情報を持つ必要がないので、会員の個人情報の不用意な流出や個人情報の不正利用を防ぐことができると共に、セキュリティを向上させることができる。
【手続補正１７】
【補正対象書類名】明細書
【補正対象項目名】００２７
【補正方法】変更
【補正の内容】
【００２７】
１    電子メール配信システム
１０  電子メール配信装置
１６  通信手段
２０  管理装置
Ｐ１１  会員番号取得手段
Ｐ１２  識別情報作成手段
Ｐ１３  通知手段
Ｐ１４  配信電子メール取得手段
Ｐ１５  記憶制御手段
Ｐ１６  電子メール送信手段
Ｐ１７  転送先メールアドレス取得手段
Ｐ１８  転送手段
Ｐ１９  ログ情報送信手段
Ｐ２１  会員番号出力手段
Ｐ２２  会員番号選択手段
Ｄ１  個人情報
Ｄ２  識別情報
Ｄ３  ログ情報
Ｄ１１  識別情報記憶手段
Ｄ１２  電子メール記憶手段
【手続補正１８】
【補正対象書類名】明細書
【補正対象項目名】００５０
【補正方法】変更
【補正の内容】
【００５０】
図２に示す電子メール配信プログラムＰ１は、登録した複数の会員の各々の個人情報と該会員を示す会員番号とを関連付けて管理する管理装置２０との間で通信手段１６を介した通信を行い、かつ、前記登録した複数の会員の中で配信対象となる会員の端末装置７０に電子メールを配信する電子メール配信装置１０のＣＰＵ（コンピュータ）１１を、前記管理装置２０から前記通信手段１６を介して前記会員の会員番号を取得する会員番号取得手段Ｐ１１、前記会員番号取得手段Ｐ１１が取得した会員番号の各々に一意的な識別データを割り振り、該割り振った識別データと前記取得した会員番号とを有する識別情報を作成する識別情報作成手段Ｐ１２、前記作成した識別情報を前記管理装置２０に前記通信手段１６を介して通知する通知手段Ｐ１３、前記管理装置２０側で前記複数の会員番号の中から任意の配信条件で選択された選択会員番号と該選択会員番号に配信する前記電子メールとを、前記管理装置２０から前記通信手段１６を介して取得する配信電子メール取得手段Ｐ１４、前記取得した選択会員番号に一致する前記会員番号を有する前記識別情報を特定し、該特定した識別情報に対応して設けられた電子メール記憶手段Ｄ１２に前記取得した電子メールを記憶する記憶制御手段Ｐ１５、前記会員の端末装置から取得した前記識別データが示す前記識別情報に対応した前記電子メール記憶手段Ｄ１２を複数の電子メール記憶手段の中から特定し、該電子メール記憶手段Ｄ１２が記憶している前記電子メールを前記会員の端末装置に対して送信する電子メール送信手段Ｐ１６、として機能させるための電子メール配信プログラムとなっている。そして、ＣＰＵ１１は電子メール配信プログラムＰ１を実行することで、上述した各種手段として機能することになる。
【手続補正１９】
【補正対象書類名】明細書
【補正対象項目名】００５７
【補正方法】変更
【補正の内容】
【００５７】
電子メール配信装置１０は、ステップＳ１３において、ステップＳ１２で作成した識別情報Ｄ２を識別情報ＤＢ５０に記憶し、ステップＳ１４（通知手段Ｐ１３に相当）において、識別情報を管理装置２０に通信装置１６を介して出力（送信）することで管理装置２０等に通知し、その後処理を終了する。
【手続補正２０】
【補正対象書類名】明細書
【補正対象項目名】００６４
【補正方法】変更
【補正の内容】
【００６４】
一方、電子メール配信装置１０は、ステップＳ２１（配信電子メール取得取得手段Ｐ１４に相当）において、通信装置１６を介して管理装置２０が出力した選択会員番号と前記電子メールを取得（受信）する。そして、電子メール配信装置１０は、ステップＳ２２（記憶制御手段Ｐ１５に相当）において、前記取得した選択会員番号と識別情報ＤＢ５０の識別情報Ｄ２の会員番号とを比較し、前記取得した選択会員番号に一致する前記会員番号を有する識別情報Ｄ２を特定し、該特定した識別情報Ｄ２に対応する前記電子メール記憶手段Ｄ１２に前記取得した電子メールを追加して記憶する。そして、電子メール配信装置１０は、ステップＳ２３において、前記特定した識別情報Ｄ２のＩＤと前記電子メールの配信結果とを有するログ情報Ｄ３を作成し、該ログ情報Ｄ３をログ情報ＤＢ６０に前記電子メールに関連付けて記憶し、その後処理を終了する。
【手続補正２１】
【補正対象書類名】特許請求の範囲
【補正対象項目名】全文
【補正方法】変更
【補正の内容】
【特許請求の範囲】
【請求項１】
登録した複数の会員の各々の個人情報と該会員を示す会員番号とを関連付けて管理する管理装置と、前記管理装置との間で通信手段を介した通信を行い且つ前記登録した複数の会員の中で配信対象となる会員の端末装置に電子メールを配信する電子メール配信装置と、前記会員の端末装置と、を有する電子メール配信システムであって、
前記電子メール配信装置は、
前記管理装置から前記通信手段を介して前記会員の会員番号を取得する会員番号取得手段と、
前記会員番号取得手段が取得した会員番号の各々に一意的な識別データを割り振り、該割り振った識別データと前記取得した会員番号とを有する識別情報を作成する識別情報作成手段と、
前記識別情報が有する識別データに対応して設けられ、前記会員の端末装置に配信する前記電子メールを記憶する複数の電子メール記憶手段と、
前記作成した識別情報を前記管理装置に前記通信手段を介して通知する通知手段と、
前記作成した識別情報を複数記憶する識別情報記憶手段と、
前記管理装置側で前記複数の会員番号の中から選択された任意の配信条件を満たす前記個人情報に対応した選択会員番号と該選択会員番号に配信する前記電子メールとを、前記管理装置から前記通信手段を介して取得する配信電子メール取得手段と、
前記取得した選択会員番号に一致する前記会員番号を有する前記識別情報を特定し、該特定した識別情報に対応する前記電子メール記憶手段に前記取得した電子メールを記憶する記憶制御手段と、
前記会員の端末装置から取得した前記識別データが示す前記識別情報に対応した前記電子メール記憶手段を複数の電子メール記憶手段の中から特定し、該電子メール記憶手段が記憶している前記電子メールを前記会員の端末装置に対して送信する電子メール送信手段と、を有し、
前記管理装置は、
前記会員の会員番号を前記電子メール配信装置に出力する会員番号出力手段と、
前記複数の会員の中から任意の配信条件を満たす前記個人情報に対応した前記選択会員番号を選択し、前記選択会員番号と該選択会員番号に配信する前記電子メールを前記電子メール配信装置に出力する会員番号選択手段と、を有することを特徴とする電子メール配信システム。
【請求項２】
前記電子メール配信装置は、前記電子メール記憶手段に記憶している前記電子メールを転送する前記会員が指定した転送先メールアドレスと前記識別データを前記管理装置から取得し、該取得した識別データに対応した前記識別情報を前記識別情報記憶手段から抽出し、該抽出した識別情報に前記取得した転送先メールアドレスを設定する転送先メールアドレス取得手段と、
前記電子メール記憶手段に記憶している前記電子メールを前記識別情報に設定されている前記転送先メールアドレスに転送する転送手段と、
を有することを特徴とする請求項１に記載の電子メール配信システム。
【請求項３】
前記電子メール配信装置は、前記配信電子メール取得手段が取得した前記選択会員番号に配信する前記電子メールを前記電子メール送信手段が送信又は前記転送手段が転送した結果を示すログ情報を記憶するログ情報記憶手段を有することを特徴とする請求項２に記載の電子メール配信システム。
【請求項４】
前記電子メール配信装置は、前記ログ情報記憶手段が記憶しているログ情報を、前記管理装置からログ転送要求を取得したときに前記管理装置に送信するログ情報送信手段を有することを特徴とする請求項３に記載の電子メール配信システム。
【手続補正２２】
【補正対象書類名】図面
【補正対象項目名】図１
【補正方法】変更
【補正の内容】
【図１】
2010071175.tif 000014
【手続補正書】
【提出日】平成22年10月28日(2010.10.28)
【手続補正１】
【補正対象書類名】明細書
【補正対象項目名】０００８
【補正方法】変更
【補正の内容】
【０００８】
上記課題を解決するためになされた請求項１に記載の本発明の電子メール配信システムは、図１の基本構成図に示すように、登録した複数の会員の各々の個人情報と該会員を示す会員番号とを関連付けて管理する管理装置２０と、前記管理装置２０との間で通信手段１６を介した通信を行い且つ前記登録した複数の会員の中で配信対象となる会員の端末装置に電子メールを配信する電子メール配信装置１０と、前記会員の端末装置と、を有する電子メール配信システムであって、前記電子メール配信装置１０は、前記管理装置２０から前記通信手段１６を介して前記会員の会員番号を取得する会員番号取得手段Ｐ１１と、前記会員番号取得手段Ｐ１１が取得した会員番号の各々に一意的な識別データを割り振り、該割り振った識別データと前記取得した会員番号とを有する識別情報を作成する識別情報作成手段Ｐ１２と、前記識別情報が有する識別データに対応して設けられ、前記会員の端末装置に配信する前記電子メールを記憶する電子メール記憶手段Ｄ１２と、前記作成した識別情報を前記管理装置に前記通信手段を介して通知する通知手段Ｐ１３と、前記作成した識別情報を記憶する識別情報記憶手段Ｄ１１と、前記管理装置２０側で前記複数の会員番号の中から選択された任意の配信条件を満たす前記個人情報に対応した選択会員番号と該選択会員番号に配信する前記電子メールとを、前記管理装置２０から前記通信手段１６を介して取得する配信電子メール取得手段Ｐ１４と、前記取得した選択会員番号に一致する前記会員番号を有する前記識別情報を特定し、該特定した識別情報に対応する前記電子メール記憶手段Ｄ１２に前記取得した電子メールを記憶する記憶制御手段Ｐ１５と、前記会員の端末装置から取得した前記識別データが示す前記識別情報に対応した前記電子メールを前記電子メール記憶手段Ｄ１２から特定し、該特定した電子メールを前記会員の端末装置に対して送信する電子メール送信手段Ｐ１６と、を有することを特徴とする。
【手続補正２】
【補正対象書類名】明細書
【補正対象項目名】０００９
【補正方法】変更
【補正の内容】
【０００９】
上記請求項１に記載した本発明の電子メール配信システムによれば、管理装置２０の会員番号出力手段Ｐ２１が会員番号を電子メール配信装置１０に対して出力する。電子メール配信装置１０の会員番号取得手段Ｐ１１が通信手段１６を介して管理装置２０から会員番号を取得すると、識別情報作成手段Ｐ１２が当該会員番号に対して一意的な識別データを割り振り、該割り振った識別データと前記取得した会員番号とを有する識別情報を作成すると、該識別情報が有する識別データに対応した電子メール記憶手段が設けられる。また、該作成した識別情報は、会員番号に関連付けられて識別情報記憶手段Ｄ１１に記憶されるとともに、通知手段Ｐ１３によって管理装置２０に通信手段１６を介して通知される。そして、管理装置２０の会員番号選択手段Ｐ２２が複数の会員番号の中から任意の配信条件で選択された選択会員番号と該選択会員番号に配信する電子メールと電子メール配信装置１０に出力する。配信電子メール取得手段Ｐ１４が選択会員番号と電子メールを管理装置２０から通信手段１６を介して取得する。そして、記憶制御手段Ｐ１５は取得した選択会員番号に一致する会員番号を有する識別情報を特定し、該特定した識別情報に対応する電子メール記憶手段Ｄ１２に前記取得した電子メールを記憶することで、配信対象の電子メール記憶手段Ｄ１２にのみ電子メールが配信される。そして、会員の端末装置から識別情報が指定されると、電子メール送信手段Ｐ１６が当該指定された識別情報に対応した電子メールを電子メール記憶手段Ｄ１２から特定し、該特定した前記電子メールを会員の端末装置に対して送信する。
【手続補正３】
【補正対象書類名】特許請求の範囲
【補正対象項目名】請求項１
【補正方法】変更
【補正の内容】
【請求項１】
登録した複数の会員の各々の個人情報と該会員を示す会員番号とを関連付けて管理する管理装置と、前記管理装置との間で通信手段を介した通信を行い且つ前記登録した複数の会員の中で配信対象となる会員の端末装置に電子メールを配信する電子メール配信装置と、前記会員の端末装置と、を有する電子メール配信システムであって、
前記電子メール配信装置は、
前記管理装置から前記通信手段を介して前記会員の会員番号を取得する会員番号取得手段と、
前記会員番号取得手段が取得した会員番号の各々に一意的な識別データを割り振り、該割り振った識別データと前記取得した会員番号とを有する識別情報を作成する識別情報作成手段と、
前記識別情報が有する識別データに対応して設けられ、前記会員の端末装置に配信する前記電子メールを記憶する電子メール記憶手段と、
前記作成した識別情報を前記管理装置に前記通信手段を介して通知する通知手段と、
前記作成した識別情報を記憶する識別情報記憶手段と、
前記管理装置側で前記複数の会員番号の中から選択された任意の配信条件を満たす前記個人情報に対応した選択会員番号と該選択会員番号に配信する前記電子メールとを、前記管理装置から前記通信手段を介して取得する配信電子メール取得手段と、
前記取得した選択会員番号に一致する前記会員番号を有する前記識別情報を特定し、該特定した識別情報に対応する前記電子メール記憶手段に前記取得した電子メールを記憶する記憶制御手段と、
前記会員の端末装置から取得した前記識別データが示す前記識別情報に対応した前記電子メールを前記電子メール記憶手段から特定し、該特定した前記電子メールを前記会員の端末装置に対して送信する電子メール送信手段と、を有し、
前記管理装置は、
前記会員の会員番号を前記電子メール配信装置に出力する会員番号出力手段と、
前記複数の会員の中から任意の配信条件を満たす前記個人情報に対応した前記選択会員番号を選択し、前記選択会員番号と該選択会員番号に配信する前記電子メールを前記電子メール配信装置に出力する会員番号選択手段と、を有することを特徴とする電子メール配信システム。
【国際調査報告】
2010071175.tif 000015
2010071175.tif 000016